(57)【要約】      （修正有）【課題】簡易な手法により１の音声出力装置と他の音声出力装置との双方から同時に音声を出力させることが可能な機器制御装置を提供する。【解決手段】外部機器から入力された音声の出力先を指定するための指定情報を取得する情報取得部と、前記指定情報により１の音声出力装置および他の音声出力装置から前記他の音声出力装置が指定されている場合、前記１の音声出力装置および前記他の音声出力装置それぞれから前記音声を出力させる出力制御部と、を備える。【選択図】図１
2015076837.tif 000002
【特許請求の範囲】
【請求項１】
外部機器から入力された音声の出力先を指定するための指定情報を取得する情報取得部と、
前記指定情報により１の音声出力装置および他の音声出力装置から前記他の音声出力装置が指定されている場合、前記１の音声出力装置および前記他の音声出力装置それぞれから前記音声を出力させる出力制御部と、
を備える、機器制御装置。
【請求項２】
前記情報取得部は、前記１の音声出力装置および前記他の音声出力装置のうち、双方から前記音声を出力させる両出力モード、または、一方から前記音声を出力させる一出力モードが設定される出力先モードを取得し、
前記出力制御部は、前記出力先モードに従って前記音声の出力先を制御する、
請求項１に記載の機器制御装置。
【請求項３】
前記出力制御部は、前記指定情報により前記他の音声出力装置が指定されている場合、かつ、前記出力先モードに前記両出力モードが設定されている場合に、前記１の音声出力装置および前記他の音声出力装置それぞれから前記音声を出力させる、
請求項２に記載の機器制御装置。
【請求項４】
前記出力制御部は、前記指定情報により前記他の音声出力装置が指定されている場合、かつ、前記出力先モードの設定が前記一出力モードから前記両出力モードに切り替わった場合、前記音声の出力先を前記他の音声出力装置から前記１の音声出力装置および前記他の音声出力装置に切り替える、
請求項３に記載の機器制御装置。
【請求項５】
前記出力制御部は、前記音声の出力先を前記他の音声出力装置から前記１の音声出力装置および前記他の音声出力装置に切り替えると、前記１の音声出力装置からの前記音声の出力を停止するよう要求されても、前記１の音声出力装置からの前記音声の出力を継続する、
請求項４に記載の機器制御装置。
【請求項６】
前記出力制御部は、前記音声の出力先を前記他の音声出力装置から前記１の音声出力装置および前記他の音声出力装置に切り替えると、前記１の音声出力装置からの前記音声の出力を停止するよう要求された場合に、前記１の音声出力装置からの前記音声の出力を継続する旨を返信する、
請求項４に記載の機器制御装置。
【請求項７】
前記出力制御部は、前記出力先モードに前記両出力モードが設定されている場合、かつ、前記１の音声出力装置から前記他の音声出力装置を指定するように前記指定情報が更新された場合、前記音声の出力先を前記１の音声出力装置から前記１の音声出力装置および前記他の音声出力装置に切り替える、
請求項３に記載の機器制御装置。
【請求項８】
前記出力制御部は、前記指定情報が前記１の音声出力装置から前記他の音声出力装置を指定するように更新された場合、前記音声の出力先を前記１の音声出力装置から前記１の音声出力装置および前記他の音声出力装置に切り替える、
請求項３に記載の機器制御装置。
【請求項９】
前記出力制御部は、前記音声の出力先を前記１の音声出力装置から前記１の音声出力装置および前記他の音声出力装置に切り替えた場合、前記出力先モードを前記両出力モードに切り替える、
請求項８に記載の機器制御装置。
【請求項１０】
前記出力制御部は、第１の音声出力モードに従って動作する場合において、前記指定情報により前記他の音声出力装置が指定されている場合、前記１の音声出力装置および他の音声出力装置それぞれから前記音声を出力させる、
請求項３に記載の機器制御装置。
【請求項１１】
前記出力制御部は、前記第１の音声出力モードよりも機能が制限された第２の音声出力モードに従って動作する場合において、前記出力先モードに前記両出力モードが設定されている場合に、前記１の音声出力装置および前記他の音声出力装置それぞれから前記音声を出力させる、
請求項１０に記載の機器制御装置。
【請求項１２】
前記出力制御部は、前記第２の音声出力モードに従って動作する場合において、前記出力先モードの設定が前記一出力モードから前記両出力モードに切り替わった場合、前記音声の出力先を前記１の音声出力装置から前記１の音声出力装置および前記他の音声出力装置に切り替える、
請求項１１に記載の機器制御装置。
【請求項１３】
前記出力制御部は、前記第２の音声出力モードに従って動作する場合において、前記機器制御装置の電源が切れている状態から入っている状態に切り替わった場合、前記音声の出力先を前記１の音声出力装置および前記他の音声出力装置のままにする、
請求項１１に記載の機器制御装置。
【請求項１４】
前記出力制御部は、音声出力モードが選択されていない場合において、前記出力先モードに前記両出力モードが設定されている場合に、前記１の音声出力装置および前記他の音声出力装置それぞれから前記音声を出力させる、
請求項１０に記載の機器制御装置。
【請求項１５】
外部機器から入力された音声の出力先を指定するための指定情報を取得することと、
前記指定情報により１の音声出力装置および他の音声出力装置から前記他の音声出力装置が指定されている場合、前記１の音声出力装置および前記他の音声出力装置それぞれから前記音声を出力させることと、
を含む、機器制御方法。
【発明の詳細な説明】
【技術分野】
【０００１】
本開示は、機器制御装置および機器制御方法に関する。
【背景技術】
【０００２】
近日、映像信号（画像信号）及び音声信号（オーディオ信号）の伝送用デジタルインタフェースとしてＨＤＭＩ（ＨｉｇｈＤｅｆｉｎｉｔｉｏｎ  Ｍｕｌｔｉｍｅｄｉａ  Ｉｎｔｅｒｆａｃｅ）が注目を集めている。ＨＤＭＩは、ＰＣ（Ｐｅｒｓｏｎａｌ  Ｃｏｍｐｕｔｅｒ）とディスプレイの接続標準規格であるＤＶＩ（Ｄｉｇｉｔａｌ  Ｖｉｓｕａｌ  Ｉｎｔｅｒｆａｃｅ）規格に、ＡＶ（Ａｕｄｉｏ  Ｖｉｓｕａｌ）機器向けに音声伝送機能や著作権保護機能が加えられたインタフェースである。
【０００３】
また、ＨＤＭＩ規格においては、ＣＥＣ（Ｃｏｎｓｕｍｅｒ  Ｅｌｅｃｔｒｏｎｉｃｓ  Ｃｏｎｔｒｏｌ）を使った機器間制御が定義されている。ＣＥＣは、ＨＤＭＩ規格で用意された１つの伝送ラインであり、双方向にデータ伝送を行うラインである。このＣＥＣラインを使うことで、ＨＤＭＩネットワーク上に存在する各機器に割り当てられる固有の物理アドレスと論理アドレスに基づいて様々な制御が可能になる（例えば、特許文献１参照。）。
【０００４】
ここで、特許文献１に開示されているようなシステムオーディオコントロールというＣＥＣ機能を導入した場合には、１の音声出力装置と他の音声出力装置との間で音声の出力先が排他的となる。より詳細には、システムオーディオモードがオフの場合には、ヘッドホンをＭｕｔｉｎｇ状態とし、テレビジョン受像機から音声を出力させる。一方、システムオーディオモードがオンの場合には、テレビジョン受像機をＭｕｔｉｎｇ状態とし、ヘッドホンから音声を出力させる。
【先行技術文献】
【特許文献】
【０００５】
【特許文献１】特開２０１３−５１５３３号公報
【発明の概要】
【発明が解決しようとする課題】
【０００６】
しかしながら、１の音声出力装置と他の音声出力装置との双方から同時に音声が出力されることが望まれる場合もある。例えば、ヘッドホンから出力された音声を聴きながら、テレビジョン受像機から出力された音声も聴くことによって、異なる音量および音場で音声を同時に聴きたいという要求がある。そこで、簡易な手法により１の音声出力装置と他の音声出力装置との双方から同時に音声を出力させることが可能な技術が提供されることが望ましい。
【課題を解決するための手段】
【０００７】
本開示によれば、外部機器から入力された音声の出力先を指定するための指定情報を取得する情報取得部と、前記指定情報により１の音声出力装置および他の音声出力装置から前記他の音声出力装置が指定されている場合、前記１の音声出力装置および前記他の音声出力装置それぞれから前記音声を出力させる出力制御部と、を備える、機器制御装置が提供される。
【０００８】
また、本開示によれば、外部機器から入力された音声の出力先を指定するための指定情報を取得することと、前記指定情報により１の音声出力装置および他の音声出力装置から前記他の音声出力装置が指定されている場合、前記１の音声出力装置および前記他の音声出力装置それぞれから前記音声を出力させることと、を含む、機器制御方法が提供される。
【発明の効果】
【０００９】
以上説明したように本開示によれば、簡易な手法により１の音声出力装置と他の音声出力装置との双方から同時に音声を出力させることが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１０】
【図１】ＡＶシステムの基本的な構成例を示すブロック図である。
【図２】デバイスとＣＥＣ論理アドレスの対応関係を示すＣＥＣテーブルを示す図である。
【図３】ＡＶシステムを構成するテレビジョン受像機（シンク機器）の構成例を示すブロック図である。
【図４】ＡＶシステムを構成する機器制御装置の構成例を示すブロック図である。
【図５】機器制御装置の概観の一例を示す図である。
【図６】ＡＶシステムを構成するヘッドホンの構成例を示すブロック図である。
【図７】ＨＤＭＩ送信部（ＨＤＭＩソース）とＨＤＭＩ受信部（ＨＤＭＩシンク）の構成例を示すブロック図である。
【図８】ＣＥＣライン（ＣＥＣチャネル）で伝送されるデータのブロック構成を示す図である。
【図９】ヘッダブロックのデータ構造例を示す図である。
【図１０】機器制御装置のＣＰＵが有する機能構成例を示す図である。
【図１１】ヘッドホン装着検出時におけるＡＶシステムの動作例を示すシーケンス図である。
【図１２】ヘッドホン装着検出時における機器制御装置の動作例を示すフローチャートである。
【図１３】ヘッドホン取り外し検出時におけるＡＶシステムの動作例を示すシーケンス図である。
【図１４】ヘッドホン取り外し検出時における機器制御装置の動作例を示すフローチャートである。
【図１５】ＡＶシステム（機器制御装置の接続前）を説明するための図である。
【図１６】ＡＶシステムを構成するＡＶアンプ（リピータ機器）の構成例を示すブロック図である。
【図１７】ＡＶシステム（機器制御装置の接続後）を説明するための図である。
【図１８】第１の音声出力モードおよび第２の音声出力モードの各モードにおいて発揮される機能例を説明するための図である。
【図１９】第１の音声出力モードにおける動作例を説明するための図である。
【図２０】第２の音声出力モードにおける動作例を説明するための図である。
【図２１】機器制御装置の動作例（Ｒｅｓｅｔ動作時）を示すフローチャートである。
【図２２】機器制御装置の動作例（論理アドレス取得時）を示すフローチャートである。
【図２３】各種設定と音声出力の状態との関係の例を示す図である。
【図２４】音声出力の状態が状態Ｃ２♯から状態Ｃ１に遷移する場合におけるＡＶシステムの動作例を示す図である。
【図２５】音声出力の状態が状態Ｃ１から状態Ｃ２♯に遷移する場合におけるＡＶシステムの動作例を示す図である。
【図２６】音声出力の状態が状態Ｃ２から状態Ｃ１に遷移する場合におけるＡＶシステムの動作例を示す図である。
【図２７】音声出力の状態が状態Ｃ１から状態Ｃ２に遷移する場合におけるＡＶシステムの動作例を示す図である。
【図２８】音声出力の状態が状態Ｃ５から状態Ｃ４に遷移する場合におけるＡＶシステムの動作例を示す図である。
【図２９】音声出力の状態が状態Ｃ４から状態Ｃ５に遷移する場合におけるＡＶシステムの動作例を示す図である。
【図３０】音声出力の状態が状態Ｃ６♯から状態Ｃ３に遷移する場合におけるＡＶシステムの動作例を示す図である。
【図３１】音声出力の状態が状態Ｃ３から状態Ｃ６♯に遷移する場合におけるＡＶシステムの動作例を示す図である。
【図３２】音声出力の状態が状態Ｃ６♯から状態Ｃ６に遷移する場合におけるＡＶシステムの動作例を示す図である。
【図３３】音声出力の状態が状態Ｃ６から状態Ｃ６♯に遷移する場合におけるＡＶシステムの動作例を示す図である。
【図３４】音声出力の状態が状態Ｃ２から状態Ｃ５に遷移する場合におけるＡＶシステムの動作例を示す図である。
【図３５】音声出力の状態が状態Ｃ５から状態Ｃ２に遷移する場合におけるＡＶシステムの動作例を示す図である。
【図３６】音声出力の状態が状態Ｃ３から状態Ｃ６に遷移する場合におけるＡＶシステムの動作例を示す図である。
【図３７】音声出力の状態が状態Ｃ６から状態Ｃ３に遷移する場合におけるＡＶシステムの動作例を示す図である。
【図３８】ＴＶ＋ＨＰ  Ａｕｄｉｏ  Ｏｕｔをオフからオンに切り替えた場合における機器制御装置の動作例を示す図である。
【図３９】ＴＶ＋ＨＰ  Ａｕｄｉｏ  Ｏｕｔをオフからオンに切り替えた場合における機器制御装置の動作の変形例を示す図である。
【図４０】ＴＶ＋ＨＰ  Ａｕｄｉｏ  Ｏｕｔをオンからオフに切り替えた場合における機器制御装置の動作例を示す図である。
【図４１】システムオーディオモードをオフからオンに切り替えた場合における機器制御装置の動作例を示す図である。
【図４２】システムオーディオモードをオンからオフに切り替えた場合における機器制御装置の動作例を示す図である。
【図４３】機器制御装置のコマンド監視処理の動作例を示す図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００１３】
なお、説明は以下の順序で行うものとする。
１．ＨＤＭＩ規格の説明
２．実施形態の説明
２−１．基本的な構成例
２−２．音声出力の切り替え
２−３．論理アドレスが既に取得されている場合
２−４．２つの音声出力モード
２−５．音声の同時出力
３．むすび
【００１４】
＜＜１．ＨＤＭＩ規格の説明＞＞
まず、本開示の実施形態に係るＡＶシステム（機器制御システム）に適用され得るＨＤＭＩ規格について説明する。近年、映像信号（画像信号）及び音声信号（オーディオ信号）の伝送用デジタルインタフェースとしてＨＤＭＩ（ＨｉｇｈＤｅｆｉｎｉｔｉｏｎ  Ｍｕｌｔｉｍｅｄｉａ  Ｉｎｔｅｒｆａｃｅ）が普及している。ＨＤＭＩは、ＰＣ（Ｐｅｒｓｏｎａｌ  Ｃｏｍｐｕｔｅｒ）とディスプレイとの接続標準規格であるＤＶＩ（Ｄｉｇｉｔａｌ  Ｖｉｓｕａｌ  Ｉｎｔｅｒｆａｃｅ）規格に音声伝送機能や著作権保護機能を加えて、ＡＶ（Ａｕｄｉｏ  Ｖｉｓｕａｌ）機器向けにアレンジしたインタフェースとなっている。ＨＤＭＩ規格の詳細は、例えば、「Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．４」に記載されている。
【００１５】
また、ＨＤＭＩ規格のインタフェースにおいては、制御信号を双方向に伝送可能としている。そのため、例えば、ＨＤＭＩ規格のインタフェースにおいては、テレビジョン受像機にＨＤＭＩケーブルで接続されたＳＴＢ（Ｓｅｔ  Ｔｏｐ  Ｂｏｘ）やビデオディスクプレーヤ等の出力装置にテレビジョン受像機からコントロール信号が伝送され得る。このように、テレビジョン受像機によりコントロール信号が伝送されることで、ユーザはテレビジョン受像機のリモートコントローラでＡＶシステム全体を操作することも可能となった。なお、ＨＤＭＩ規格の伝送ケーブルで伝送されるこれらの信号としては、機器をコントロールするための制御指令の他に、その指令に対する応答や、機器の状態を示す信号などが存在するが、本明細書ではこれらの信号を総括して制御信号と称する。
【００１６】
ＨＤＭＩ規格ではＣＥＣ（Ｃｏｎｓｕｍｅｒ  Ｅｌｅｃｔｒｏｎｉｃｓ  Ｃｏｎｔｒｏｌ）を使った機器間制御が定義されている。ＣＥＣは、ＨＤＭＩ規格で用意された１つの伝送ラインであり、双方向にデータ伝送を行うラインである。このＣＥＣラインを使うことで、ＨＤＭＩネットワーク上に存在する各機器に割り当てられる固有の物理アドレスと論理アドレスに基づいて様々な制御が可能になる。例えば、ユーザがテレビジョン受像機でデジタル放送を視聴しているときに、テレビジョン受像機にＨＤＭＩケーブルで接続されたビデオディスクプレーヤを再生すると、テレビジョン受像機は自動的にビデオディスクプレーヤが接続された入力に切り換える。また、このビデオディスクプレーヤで表示するメニュー操作や、電源のオン／オフなどをテレビジョン受像機のリモートコントローラから操作することができる。
【００１７】
また、図２に示すように、ＨＤＭＩネットワーク上に存在する各機器が割り当てられた論理アドレスに対応したＣＥＣ対応機器として認識されると、認識されたＣＥＣ対応機器に対する操作が可能となる。
【００１８】
ＨＤＭＩ−ＣＥＣ規格では、テレビジョン受像機で画像を表示している機器を明示するためのＣＥＣメッセージとして＜Ａｃｔｉｖｅ  Ｓｏｕｒｃｅ＞が規定されている。この規定によれば、例えば、ユーザがＨＤＭＩ規格対応のビデオディスクプレーヤの再生ボタンを操作すると、ビデオディスクプレーヤはプレーヤ自身が安定した映像信号を出力可能な状態（すなわち、アクティブな状態）であればＡＶストリームを出力する。また、ビデオディスクプレーヤは、アクティブ機器であることを示す＜Ａｃｔｉｖｅ  Ｓｏｕｒｃｅ＞メッセージをブロードキャストする。
【００１９】
ここで、「ブロードキャスト」とは、特定の機器に対してではなく全機器を送信先とした信号の一斉送信のことをいう。＜Ａｃｔｉｖｅ  Ｓｏｕｒｃｅ＞メッセージをブロードキャストされたテレビジョン受像機およびその他の外部機器は、ビデオプレーヤから出力されるＡＶストリームを再生するために経路の切り換えを行う。
【００２０】
このように、ＨＤＭＩ−ＣＥＣ規格では、テレビジョン受像機で映像の表示を開始する機器が＜Ａｃｔｉｖｅ  Ｓｏｕｒｃｅ＞メッセージをネットワーク内の他の機器にブロードキャストすることが規定されている。なお、＜Ａｃｔｉｖｅ  Ｓｏｕｒｃｅ＞メッセージは、ＨＤＭＩ規格で定義されたＣＥＣメッセージの一つである。
【００２１】
以上、本開示の実施形態に係るＡＶシステムに適用され得るＨＤＭＩ規格について説明した。
【００２２】
＜＜２．実施形態の説明＞＞
続いて、本開示の実施形態について説明する。本開示に係る技術は、多様な形態で実施され得る。
【００２３】
＜２−１．基本的な構成例＞
まず、本開示の実施形態に適用し得るＡＶシステムの基本的な構成例について説明する。図１は、ＡＶシステムの基本的な構成例を示すブロック図である。
【００２４】
このＡＶシステム１００Ａは、テレビジョン受像機２００と、機器制御装置８００と、ビデオレコーダ４００と、ビデオプレーヤ５００と、ビデオレコーダ６００とを有している。ビデオレコーダ４００、ビデオプレーヤ５００およびビデオレコーダ６００は、ＨＤＭＩのソース機器を構成している。機器制御装置８００はＨＤＭＩのリピータ機器を構成している。テレビジョン受像機２００は、ＨＤＭＩのシンク機器を構成している。ビデオレコーダ４００、ビデオプレーヤ５００およびビデオレコーダ６００は、それぞれＤＶＤなどのビデオディスクやハードディスクなどを記録媒体として使って、ビデオデータ（ＡＶコンテンツ）の記録や再生を行う機器である。
【００２５】
テレビジョン受像機２００は、ＣＥＣ対応機器であり、ＨＤＭＩ端子２０１，２０２と、光出力端子２０３と、を備えている。テレビジョン受像機２００は、リモートコントローラ（図示せず）により遠隔制御可能な構成としてある。テレビジョン受像機２００は、アプリケーションに基づく処理を実行し、所定の情報を表示したり、テレビジョン受像機２００にＨＤＭＩ端子２０１，２０２で接続される機器を制御したりする機能を有する。
【００２６】
ビデオレコーダ４００はＨＤＭＩ端子４０１を、ビデオプレーヤ５００はＨＤＭＩ端子５０１を、ビデオレコーダ６００はＨＤＭＩ端子６０１を備え、いずれの機器もＣＥＣ対応機器である。
【００２７】
機器制御装置８００は、ＣＥＣ対応機器であり、ＨＤＭＩ端子８０１，８０２，８０３，８０４と、光入力端子８０５とを備えている。この機器制御装置８００には、ヘッドホン９００が接続されており、機器制御装置８００で再生処理したオーディオ信号をヘッドホン９００から出力させる構成としてある。機器制御装置８００とヘッドホン９００とは、無線により接続されていてもよく、有線により接続されていてもよい。
【００２８】
テレビジョン受像機２００および機器制御装置８００は、ＨＤＭＩケーブル７０１および光ケーブル７０２を介して接続されている。すなわち、ＨＤＭＩケーブル７０１の一端はテレビジョン受像機２００のＨＤＭＩ端子２０１に接続され、その他端は機器制御装置８００のＨＤＭＩ端子８０４に接続されている。また、光ケーブル７０２の一端はテレビジョン受像機２００の光出力端子２０３に接続され、その他端は機器制御装置８００の光入力端子８０５に接続されている。
【００２９】
また、機器制御装置８００およびビデオレコーダ４００は、ＨＤＭＩケーブル７０３を介して接続されている。すなわち、ＨＤＭＩケーブル７０３の一端は機器制御装置８００のＨＤＭＩ端子８０１に接続され、その他端はビデオレコーダ４００のＨＤＭＩ端子４０１に接続されている。
【００３０】
また、機器制御装置８００およびビデオプレーヤ５００は、ＨＤＭＩケーブル７０４を介して接続されている。すなわち、ＨＤＭＩケーブル７０４の一端は機器制御装置８００のＨＤＭＩ端子８０２に接続され、その他端はビデオプレーヤ５００のＨＤＭＩ端子５０１に接続されている。
【００３１】
さらに、機器制御装置８００およびビデオレコーダ６００は、ＨＤＭＩケーブル７０５を介して接続されている。すなわち、ＨＤＭＩケーブル７０５の一端は機器制御装置８００のＨＤＭＩ端子８０３に接続され、その他端はビデオレコーダ６００のＨＤＭＩ端子６０１に接続されている。
【００３２】
（物理アドレスおよび論理アドレスの取得）
図１に示すＡＶシステム１００Ａにおいて、各機器の物理アドレス（Ｐｈｙｓｉｃａｌ  Ａｄｄｒｅｓｓ）およびＣＥＣ論理アドレス（Ｌｏｇｉｃａｌ  Ａｄｄｒｅｓｓ）の取得は、例えば、以下のように行われる。
【００３３】
すなわち、テレビジョン受像機２００（物理アドレスは［００００］、ＣＥＣ論理アドレスは｛０｝）にＨＤＭＩケーブル７０１を介して機器制御装置８００が接続されるとき、機器制御装置８００はＨＤＭＩ制御プロトコルを使用して、テレビジョン受像機２００から物理アドレス［１０００］を取得する。
【００３４】
ＣＥＣ対応機器は、ＨＤＭＩ接続時に、論理アドレスを取得するように規定されている。ＣＥＣ対応機器は、この論理アドレスを用いて、メッセージの送受信を行う。
【００３５】
図２は、デバイスとＣＥＣ論理アドレスの対応関係を表すテーブルを示す図である。デバイスの「ＴＶ」はテレビジョン受像機、プロジェクタ等の映像を表示する機器である。デバイスの「Ｒｅｃｏｒｄｉｎｇ  Ｄｅｖｉｃｅ」は、ハードディスクレコーダやＤＶＤレコーダ等の録画機器である。デバイスの「Ｔｕｎｅｒ」は、ケーブルテレビの受信などを行うＳＴＢ（Ｓｅｔ  Ｔｏｐ  Ｂｏｘ）等のＡＶコンテンツを受信する機器である。デバイスの「Ｐｌａｙｂａｃｋ  Ｄｅｖｉｃｅ」はビデオプレーヤ、カムコーダ等の再生機器である。デバイスの「Ａｕｄｉｏ  Ｓｙｓｔｅｍ」はＡＶアンプ等のオーディオ処理装置である。
【００３６】
機器制御装置８００は、上述したように、ＣＥＣ対応機器である。機器制御装置８００は、図２のテーブルに基づいて、「Ａｕｄｉｏ  Ｓｙｓｔｅｍ」として論理アドレス｛５｝を決定する。この場合、機器制御装置８００は、ＣＥＣ制御プロトコルの＜Ｐｏｌｌｉｎｇ  Ｍｅｓｓａｇｅ＞で他の機器に、この論理アドレス｛５｝を持つ機器が存在しないことを認識した後に、当該論理アドレス｛５｝を自身の論理アドレスとして決定する。そして、機器制御装置８００は、ＣＥＣ制御プロトコルの＜Ｒｅｐｏｒｔ  Ｐｈｙｓｉｃａｌ  Ａｄｄｒｅｓｓ＞により、物理アドレス［１０００］は、ＣＥＣ対応機器｛５｝であることを、テレビジョン受像機２００などに通知する。
【００３７】
また、機器制御装置８００にＨＤＭＩケーブル７０３を介してビデオレコーダ４００が接続されるとき、ビデオレコーダ４００は、ＨＤＭＩ制御プロトコルを使用して、機器制御装置８００から物理アドレス［１１００］を取得する。
【００３８】
ビデオレコーダ４００は、上述したように、ＣＥＣ対応機器である。ビデオレコーダ４００は、図２のテーブルに基づいて、「Ｒｅｃｏｒｄｉｎｇ  Ｄｅｖｉｃｅ」として論理アドレス｛１｝を決定する。この場合、ビデオレコーダ４００は、ＣＥＣ制御プロトコルの＜Ｐｏｌｌｉｎｇ  Ｍｅｓｓａｇｅ＞で他の機器に、この論理アドレス｛１｝を持つ機器が存在しないことを認識した後に、当該論理アドレス｛１｝を自身の論理アドレスとして決定する。そして、ビデオレコーダ４００は、ＣＥＣ制御プロトコルの＜Ｒｅｐｏｒｔ  Ｐｈｙｓｉｃａｌ  Ａｄｄｒｅｓｓ＞により、物理アドレス［１１００］は、ＣＥＣ対応機器｛１｝であることを、テレビジョン受像機２００および機器制御装置８００に通知する。
【００３９】
また、機器制御装置８００にＨＤＭＩケーブル７０４を介してビデオプレーヤ５００が接続されるとき、ビデオプレーヤ５００は、ＨＤＭＩ制御プロトコルを使用して、機器制御装置８００から物理アドレス［１２００］を取得する。
【００４０】
ビデオプレーヤ５００は、上述したように、ＣＥＣ対応機器である。ビデオプレーヤ５００は、図２のテーブルに基づいて、「Ｐｌａｙｂａｃｋ  Ｄｅｖｉｃｅ」として論理アドレス｛４｝を決定する。この場合、ビデオプレーヤ５００は、ＣＥＣ制御プロトコルの＜Ｐｏｌｌｉｎｇ  Ｍｅｓｓａｇｅ＞で他の機器に、この論理アドレス｛４｝を持つ機器が存在しないことを認識した後に、当該論理アドレス｛４｝を自身の論理アドレスとして決定する。そして、ビデオプレーヤ５００は、ＣＥＣ制御プロトコルの＜Ｒｅｐｏｒｔ  Ｐｈｙｓｉｃａｌ  Ａｄｄｒｅｓｓ＞により、物理アドレス［１２００］は、ＣＥＣ対応機器｛４｝であることを、テレビジョン受像機２００および機器制御装置８００に通知する。
【００４１】
また、機器制御装置８００にＨＤＭＩケーブル７０５を介してビデオレコーダ６００が接続されるとき、ビデオレコーダ６００は、ＨＤＭＩ制御プロトコルを使用して、機器制御装置８００から物理アドレス［１３００］を取得する。
【００４２】
ビデオレコーダ６００は、上述したように、ＣＥＣ対応機器である。ビデオレコーダ６００は、図２のテーブルに基づいて、「ｒｅｃｏｒｄｉｎｇ  Ｄｅｖｉｃｅ」として論理アドレス｛２｝を決定する。この場合、ビデオレコーダ６００は、ＣＥＣ制御プロトコルの＜Ｐｏｌｌｉｎｇ  Ｍｅｓｓａｇｅ＞で他の機器に、この論理アドレス｛２｝を持つ機器が存在しないことを認識した後に、当該論理アドレス｛２｝を自身の論理アドレスとして決定する。そして、ビデオレコーダ６００は、ＣＥＣ制御プロトコルの＜Ｒｅｐｏｒｔ  Ｐｈｙｓｉｃａｌ  Ａｄｄｒｅｓｓ＞により、物理アドレス［１３００］は、ＣＥＣ対応機器｛２｝であることを、テレビジョン受像機２００および機器制御装置８００に通知する。
【００４３】
（映像信号および音声信号の再生）
図１に示すＡＶシステム１００Ａにおいて、テレビジョン受像機２００のチューナで選局された番組を視聴する場合には、以下のような動作が実行される。すなわち、チューナで得られる映像信号による画像は、テレビジョン受像機２００の表示パネル（図示せず）に表示される。チューナで得られるオーディオ信号によるオーディオ（音声）は、機器制御装置８００がシステムオーディオモードオフの状態にあるときは、テレビジョン受像機２００のスピーカ（図示せず）から出力される。また、チューナで得られるオーディオ信号によるオーディオは、システムオーディオモードオンの状態にあるときは、機器制御装置８００に接続されているヘッドホン９００から出力される。
【００４４】
テレビジョン受像機２００のチューナで得られるオーディオ信号は、例えば光デジタルオーディオ信号とされて、光ケーブル７０２を介して機器制御装置８００に供給される。また、機器制御装置８００におけるシステムオーディオモードのオン／オフの設定は、ユーザが機器制御装置８００の操作部（図示せず）を操作して行うことができる他、ユーザがテレビジョン受像機２００の操作部（図示せず）を操作して行うことができる。また、機器制御装置８００におけるシステムオーディオモードのオン／オフは、テレビジョン受像機２００のリモートコントローラ（図示せず）の操作で、スピーカ切り替え指示を行うことでも設定できる。
【００４５】
また、図１に示すＡＶシステム１００Ａにおいて、例えば、テレビジョン受像機２００からの切り替え操作、ビデオレコーダ４００の再生釦操作等により、ビデオレコーダ４００でディスクから再生されたコンテンツ、あるいはチューナで選局された番組を視聴する場合には、以下のようになる。
【００４６】
すなわち、ビデオレコーダ４００の出力映像信号による画像は、テレビジョン受像機２００の表示パネル（図示せず）に表示される。この場合、ビデオレコーダ４００の出力映像信号は、ＨＤＭＩケーブル７０３、機器制御装置８００およびＨＤＭＩケーブル７０１を介してテレビジョン受像機２００に供給される。
【００４７】
ビデオレコーダ４００の出力オーディオ信号による音声は、機器制御装置８００がシステムオーディオモードオフの状態にあるときは、テレビジョン受像機２００のスピーカ（図示せず）から出力される。この場合、ビデオレコーダ４００の出力オーディオ信号は、ＨＤＭＩケーブル７０３、機器制御装置８００およびＨＤＭＩケーブル７０１を介してテレビジョン受像機２００に供給される。
【００４８】
また、ビデオレコーダ４００の出力オーディオ信号による音声は、機器制御装置８００がシステムオーディオモードオンの状態にあるときは、機器制御装置８００に接続されているヘッドホン９００から出力される。この場合、ビデオレコーダ４００の出力オーディオ信号は、ＨＤＭＩケーブル７０３を介して機器制御装置８００に供給される。
【００４９】
また、図１に示すＡＶシステム１００Ａにおいて、例えば、テレビジョン受像機２００からの切り替え操作、ビデオプレーヤ５００の再生釦操作等により、ビデオプレーヤ５００でディスクから再生されたコンテンツを視聴する場合には、以下のように動作が行われる。
【００５０】
すなわち、ビデオプレーヤ５００の出力映像信号による画像は、テレビジョン受像機２００の表示パネル（図示せず）に表示される。この場合、ビデオプレーヤ５００の出力映像信号は、ＨＤＭＩケーブル７０４、機器制御装置８００およびＨＤＭＩケーブル７０１を介してテレビジョン受像機２００に供給される。
【００５１】
ビデオプレーヤ５００の出力オーディオ信号による音声は、機器制御装置８００がシステムオーディオモードオフの状態にあるときは、テレビジョン受像機２００のスピーカ（図示せず）から出力される。この場合、ビデオプレーヤ５００の出力オーディオ信号は、ＨＤＭＩケーブル７０４、機器制御装置８００およびＨＤＭＩケーブル７０１を介してテレビジョン受像機２００に供給される。
【００５２】
また、ビデオプレーヤ５００の出力オーディオ信号による音声は、機器制御装置８００がシステムオーディオモードオンの状態にあるときは、機器制御装置８００に接続されているヘッドホン９００から出力される。この場合、ビデオプレーヤ５００の出力オーディオ信号は、ＨＤＭＩケーブル７０４を介して機器制御装置８００に供給される。
【００５３】
また、図１に示すＡＶシステム１００Ａにおいて、例えば、テレビジョン受像機２００からの切り替え操作等により、ビデオレコーダ６００でディスクから再生されたコンテンツ、あるいはチューナで選局された番組を視聴する場合には、以下のようになる。
【００５４】
すなわち、ビデオレコーダ６００の出力映像信号による画像は、テレビジョン受像機２００の表示パネル（図示せず）に表示される。この場合、ビデオレコーダ６００の出力映像信号は、ＨＤＭＩケーブル７０５、機器制御装置８００およびＨＤＭＩケーブル７０１を介してテレビジョン受像機２００に供給される。
【００５５】
ビデオレコーダ６００の出力オーディオ信号による音声は、機器制御装置８００がシステムオーディオモードオフの状態にあるときは、テレビジョン受像機２００のスピーカ（図示せず）から出力される。この場合、ビデオレコーダ６００の出力オーディオ信号は、ＨＤＭＩケーブル７０５、機器制御装置８００およびＨＤＭＩケーブル７０１を介してテレビジョン受像機２００に供給される。
【００５６】
また、ビデオレコーダ６００の出力オーディオ信号による音声は、機器制御装置８００がシステムオーディオモードオンの状態にあるときは、機器制御装置８００に接続されているヘッドホン９００から出力される。この場合、ビデオレコーダ６００の出力オーディオ信号は、ＨＤＭＩケーブル７０５を介して機器制御装置８００に供給される。
【００５７】
（テレビジョン受像機の構成）
図３は、ＡＶシステム１００Ａを構成するテレビジョン受像機（シンク機器）２００の構成例を示すブロック図である。このテレビジョン受像機２００は、ＨＤＭＩ端子２０１，２０２と、ＨＤＭＩスイッチャ２０４と、ＨＤＭＩ受信部２０５と、アンテナ端子２１０と、デジタルチューナ２１１を有する。また、テレビジョン受像機２００は、デマルチプレクサ（Ｄｅｍｕｘ）２１２と、ＭＰＥＧ（Ｍｏｖｉｎｇ  Ｐｉｃｔｕｒｅ  Ｅｘｐｅｒｔ  Ｇｒｏｕｐ）デコーダ２１３と、映像・グラフィック処理回路２１４と、パネル駆動回路２１５と、表示パネル２１６とを有する。さらに、テレビジョン受像機２００は、音声処理回路２１７と、音声増幅回路２１８と、スピーカ２１９とを有する。さらにまた、テレビジョン受像機２００は、内部バス２３０と、ＣＰＵ（中央制御ユニット）２３１と、フラッシュＲＯＭ２３２と、ＤＲＡＭ２３３と、受信部２３４と、ネットワークＩ／Ｆ２３５と、ネットワーク端子２３６と、を有している。
【００５８】
ＣＰＵ２３１は、テレビジョン受像機２００の各部の動作を制御する。フラッシュＲＯＭ２３２は、制御ソフトウェアの格納およびデータの保管を行う。ＤＲＡＭ２３３は、ＣＰＵ２３１のワークエリア等を構成する。ＣＰＵ２３１は、フラッシュＲＯＭ２３２から読み出したソフトウェアやデータをＤＲＡＭ２３３上に展開してソフトウェアを起動し、テレビジョン受像機２００の各部を制御する。ＣＰＵ２３１、フラッシュＲＯＭ２３２およびＤＲＡＭ２３３は、内部バス２３０に接続されている。
【００５９】
受信部２３４は、リモートコントローラＲＭから送信された、例えば赤外線のリモートコントロール信号（リモコンコード）を受信し、ＣＰＵ２３１に供給する。ユーザは、リモートコントローラＲＭを操作することで、テレビジョン受像機２００の操作、およびこのテレビジョン受像機２００にＨＤＭＩケーブルで接続されているその他のＣＥＣ対応機器の操作を行うことができる。
【００６０】
ネットワークＩ／Ｆ２３５は、ネットワーク端子２３６に接続されたネットワークケーブルを介してネットワークに接続し、ネットワークに接続される各種装置との間でデータの送受信を実行する。
【００６１】
アンテナ端子２１０は、受信アンテナ（図示しない）で受信されたテレビジョン放送信号を入力する端子である。デジタルチューナ２１１は、アンテナ端子２１０に入力されたテレビ放送信号を処理して、ユーザの選択チャネルに対応した所定のトランスポートストリームを出力する。デマルチプレクサ２１２は、デジタルチューナ２１１で得られたトランスポートストリームから、ユーザの選択チャネルに対応した、パーシャルＴＳ（Ｔｒａｎｓｐｏｒｔ  Ｓｔｒｅａｍ）（映像データのＴＳパケット、オーディオデータのＴＳパケット）を抽出する。
【００６２】
また、デマルチプレクサ２１２は、デジタルチューナ２１１で得られたトランスポートストリームから、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）を取り出し、ＣＰＵ２３１に出力する。デジタルチューナ２１１で得られたトランスポートストリームには、複数のチャネルが多重化されている。デマルチプレクサ２１２で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００６３】
ＭＰＥＧデコーダ２１３は、デマルチプレクサ２１２で得られる映像データのＴＳパケットにより構成される映像ＰＥＳ（Ｐａｃｋｅｔｉｚｅｄ  Ｅｌｅｍｅｎｔａｒｙ  Ｓｔｒｅａｍ）パケットに対してデコード処理を行って映像データを得る。また、ＭＰＥＧデコーダ２１３は、デマルチプレクサ２１２で得られるオーディオデータのＴＳパケットにより構成されるオーディオＰＥＳパケットに対してデコード処理を行ってオーディオデータを得る。
【００６４】
映像・グラフィック処理回路２１４は、ＭＰＥＧデコーダ２１３で得られた映像データに対して、必要に応じて、スケーリング処理、グラフィックスデータの重畳処理等を行う。また映像・グラフィック処理回路２１４は、フラッシュＲＯＭ２３２に予め格納されているアプリケーションに基づく処理による画像データを生成し、パネル駆動回路２１５に出力する。パネル駆動回路２１５は、映像・グラフィック処理回路２１４から出力される映像データに基づいて、表示パネル２１６を駆動する。表示パネル２１６は、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）、ＰＤＰ（Ｐｌａｓｍａ  ＤｉｓｐｌａｙＰａｎｅｌ）等で構成されている。
【００６５】
音声処理回路２１７は、ＭＰＥＧデコーダ２１３で得られたオーディオデータに対してＤ／Ａ変換等の必要な処理を行う。音声増幅回路２１８は、音声処理回路２１７から出力されるアナログオーディオ信号を増幅してスピーカ２１９に供給する。また、音声処理回路２１７は、ＭＰＥＧデコーダ２１３で得られたオーディオデータをデジタル光信号に変換して、光出力端子２０３に出力する。
【００６６】
ＨＤＭＩスイッチャ２０４は、ＨＤＭＩ端子２０１，２０２をＨＤＭＩ受信部２０５に選択的に接続する。ＨＤＭＩ受信部２０５は、ＨＤＭＩスイッチャ２０４を介して、ＨＤＭＩ端子２０１，２０２のいずれかに選択的に接続されている。このＨＤＭＩ受信部２０５は、ＨＤＭＩに準拠した通信により、ＨＤＭＩ端子２０１，２０２に接続されている外部機器（ソース機器、またはリピータ機器）から送信されてくる映像とオーディオのデータを受信する。このＨＤＭＩ受信部２０５の詳細は後述する。
【００６７】
（テレビジョン受像機の動作）
ここで、図３に示すテレビジョン受像機２００の動作を簡単に説明する。アンテナ端子２１０に入力されるテレビ放送信号はデジタルチューナ２１１に供給される。このデジタルチューナ２１１では、テレビ放送信号が処理されて、ユーザの選択チャネルに対応したトランスポートストリームが得られる。このトランスポートストリームは、デマルチプレクサ２１２に供給される。デマルチプレクサ２１２では、トランスポートストリームから、ユーザの選択チャネルに対応した、パーシャルＴＳ（映像データのＴＳパケット、オーディオデータのＴＳパケット）が抽出される。このパーシャルＴＳは、ＭＰＥＧデコーダ２１３に供給される。
【００６８】
ＭＰＥＧデコーダ２１３では、映像データのＴＳパケットにより構成される映像ＰＥＳパケットに対してデコード処理が行われて映像データが得られる。この映像データは、映像・グラフィック処理回路２１４において、必要に応じて、スケーリング処理、グラフィックスデータの重畳処理等が行われた後に、パネル駆動回路２１５に供給される。そのため、表示パネル２１６には、ユーザの選択チャネルに対応した画像が表示される。
【００６９】
また、ＭＰＥＧデコーダ２１３では、オーディオデータのＴＳパケットにより構成されるオーディオＰＥＳパケットに対してデコード処理が行われてオーディオデータが得られる。このオーディオデータは、音声処理回路２１７でＤ／Ａ変換等の必要な処理が行われ、さらに、音声増幅回路２１８で増幅された後に、スピーカ２１９に供給される。そのため、スピーカ２１９から、ユーザの選択チャネルに対応したオーディオが出力される。
【００７０】
また、ＭＰＥＧデコーダ２１３で得られるオーディオデータは、音声処理回路２１７で、例えばＳ／ＰＤＩＦ規格のデジタル光信号に変換されて、光出力端子２０３に出力される。そのため、テレビジョン受像機２００は、オーディオデータを、光ケーブルを介して、外部機器に送信できる。図１に示すＡＶシステム１００Ａにおいては、上述したように、テレビジョン受像機２００からのオーディオデータが、光ケーブル７０２を介して機器制御装置８００に供給される。
【００７１】
そして、機器制御装置８００がシステムオーディオモードオンの状態にあるとき、機器制御装置８００に接続されているヘッドホン９００から、テレビジョン受像機２００からのオーディオデータによるオーディオが出力される。なお、この場合、ＣＰＵ２３１により音声増幅回路２１８はミューティングオン状態とされ、テレビジョン受像機２００のスピーカ２１９からオーディオは出力されない。
【００７２】
また、ＨＤＭＩ受信部２０５では、ＨＤＭＩケーブルを介してＨＤＭＩ端子２０１，２０２に入力される映像およびオーディオのデータが得られる。映像データは映像・グラフィック処理回路２１４に供給される。オーディオデータは、音声処理回路２１７に供給される。以降は、上述したテレビ放送信号の受信時と同様の動作となり、表示パネル２１６に画像が表示され、スピーカ２１９からオーディオが出力される。
【００７３】
図１に示すＡＶシステム１００Ａにおいて、例えば、ビデオレコーダ４００、ビデオプレーヤ５００またはビデオレコーダ６００からの映像データ、オーディオデータによる画像、オーディオの視聴を行う場合には、上述したように、ＨＤＭＩ受信部２０５で取得された映像データ、オーディオデータによる画像、オーディオの視聴状態となる。
【００７４】
なお、この場合にあっても、機器制御装置８００がシステムオーディオモードオンの状態にあるとき、機器制御装置８００に接続されているヘッドホン９００からオーディオデータによるオーディオが出力され、テレビジョン受像機２００の音声増幅回路２１８はミューティングオン状態とされ、テレビジョン受像機２００からオーディオは出力されない。
【００７５】
（機器制御装置の構成）
図４は、ＡＶシステム１００Ａを構成する機器制御装置８００の構成例を示すブロック図である。機器制御装置８００は、ＨＤＭＩ端子８０１〜８０４と、光入力端子８０５と、ＨＤＭＩスイッチャ８０６と、ＨＤＭＩ受信部８０７と、ＨＤＭＩ送信部８０８と、変換部８１０とを有する。また、機器制御装置８００は、アナログオーディオ入力端子８１１と、Ａ／Ｄ変換器８１５と、セレクタ８１６と、ＤＳＰ（Ｄｉｇｉｔａｌ  Ｓｉｇｎａｌ  Ｐｒｏｃｅｓｓｏｒ）８１７とを有する。さらに、機器制御装置８００は、無線通信部８１８と、内部バス８２０と、ＣＰＵ８２１と、ＲＯＭ８２２と、ＲＡＭ８２３とを有している。
【００７６】
ＣＰＵ８２１は、機器制御装置８００の各部の動作を制御する。ＲＯＭ８２２は、制御ソフトウェアの格納およびデータの保管を行う。ＲＡＭ８２３は、ＣＰＵ８２１のワークエリア等を構成する。ＣＰＵ８２１は、ＲＯＭ８２２から読み出したソフトウェアやデータをＲＡＭ８２３上に展開してソフトウェアを起動し、機器制御装置８００の各部を制御する。ＣＰＵ８２１、ＲＯＭ８２２およびＲＡＭ８２３は、内部バス８２０に接続されている。なお、ＣＰＵ８２１、ＲＯＭ８２２およびＲＡＭ８２３は、ワンチップのマイクロコンピュータ（ワンチップマイコン）であってもよい。
【００７７】
ＣＰＵ８２１には、操作部８２４および表示部８２５が接続されている。これら操作部８２４および表示部８２５は、ユーザインタフェースを構成している。操作部８２４により、ユーザが機器制御装置８００の出力オーディオの選択、動作設定等を行うことができる。ユーザは、この操作部８２４により、システムオーディオモードのオン／オフ等を設定できる。さらに、ＣＰＵ８２１は、ＨＤＭＩ端子８０１に接続されている外部機器との間でＣＥＣ信号を送受信することができる。ＣＥＣ信号は、例えば、後に説明するＣＥＣラインにより送受信され得る。ＣＥＣ信号は、上記した制御信号として機能し得る。
【００７８】
この操作部８２４は、機器制御装置８００の図示しない筐体に配置されたキー、釦、ダイアル、リモートコントロール信号送受信部等で構成される。表示部８２５は、機器制御装置８００の動作状態、ユーザの操作状態等を表示し、蛍光表示管やＬＣＤ（Ｌｉｑｕｉｄ  Ｃｒｙｓｔａｌ  Ｄｉｓｐｌａｙ）等で構成される。
【００７９】
光入力端子８０５は、光ケーブルを通じてデジタル光信号を入力する端子である。光出力端子８１２は、光ケーブルを通じてデジタル光信号を出力する端子である。
【００８０】
変換部８１０は、光入力端子８０５に入力されたデジタル光信号から、オーディオ信号のサンプリング周波数と同じ周波数（例えば、４４．１ｋＨｚ）を持つクロックＬＲＣＫ、サンプリング周波数の例えば５１２倍あるいは２５６倍のマスタークロックＭＣＫと、クロックＬＲＣＫの１周期毎に存在するそれぞれ２４ビットの左右のオーディオデータＬＤＡＴＡ，ＲＤＡＴＡと、データの各ビットに同期したビットクロックＢＣＫを生成して、セレクタ８１６に供給する。
【００８１】
また、変換部８１０は、光入力端子８０５に入力されたデジタル光信号を光出力端子８１２から送出する。これにより、機器制御装置８００はリピータ機能を発揮する。さらに、変換部８１０は、ＨＤＭＩ端子８０４に接続されている外部機器から送信されてくる信号のうちのＡＲＣ（Ａｕｄｉｏ  Ｒｅｔｕｒｎ  Ｃｈａｎｎｅｌ）信号をセレクタ８１６に供給することができる。ＡＲＣ信号については後に詳細に説明するが、このＡＲＣ信号によりオーディオデータを受信することができる。ＡＲＣ信号は、例えば、後に説明するリザーブラインにより送受信され得る。
【００８２】
アナログオーディオ入力端子８１１は、外部機器で得られる左右のアナログオーディオ信号を入力する端子である。Ａ／Ｄ変換器８１５は、アナログオーディオ入力端子８１１に入力されたアナログオーディオ信号をデジタルのオーディオデータに変換してセレクタ８１６に供給する。
【００８３】
ＨＤＭＩスイッチャ８０６は、ＨＤＭＩ端子８０１〜８０３をＨＤＭＩ受信部８０７に選択的に接続する。ＨＤＭＩ受信部８０７は、ＨＤＭＩスイッチャ８０６を介して、ＨＤＭＩ端子８０１〜８０３のいずれかに選択的に接続されている。このＨＤＭＩ受信部８０７は、ＨＤＭＩに準拠した通信により、ＨＤＭＩ端子８０１〜８０３に接続されている外部機器（ソース機器）から一方向に送信されてくる映像とオーディオのデータを受信する。
【００８４】
ＨＤＭＩ受信部８０７は、オーディオデータをセレクタ８１６に供給すると共に、映像とオーディオのデータをＨＤＭＩ送信部８０８に供給する。ＨＤＭＩ送信部８０８は、ＨＤＭＩに準拠した通信により、ＨＤＭＩ受信部８０７から供給されたベースバンドの映像とオーディオのデータをＨＤＭＩ端子８０４から送出する。これにより、機器制御装置８００はリピータ機能を発揮する。ＨＤＭＩ受信部８０７およびＨＤＭＩ送信部８０８の詳細は後述する。
【００８５】
セレクタ８１６は、ＨＤＭＩ受信部８０７から供給されるオーディオデータ、変換部８１０から供給されるオーディオデータまたはＡ／Ｄ変換器８１５から供給されるオーディオデータを選択的に取り出し、ＤＳＰ８１７に供給する。
【００８６】
ＤＳＰ８１７は、セレクタ８１６で得られたオーディオデータを処理し、周波数帯ごとに音量を調整するイコライジング処理、音像の定位位置を設定する音像定位処理等を行う。
【００８７】
無線通信部８１８は、ＤＳＰ８１７から出力されるオーディオデータを無線信号に変換し、変換により得られる無線信号をヘッドホン９００に出力する。また、無線通信部８１８は、ＣＰＵ８２１から出力されるヘッドホン９００を制御するための各種信号を無線信号に変換し、変換により得られる無線信号をヘッドホン９００に出力する。また、無線通信部８１８は、ヘッドホン９００から無線信号を受信した場合には、受信した無線信号をデジタル信号に変換し、変換により得られるデジタル信号をＣＰＵ８２１に出力する。
【００８８】
（機器制御装置の動作）
ここで、図４に示す機器制御装置８００の動作を簡単に説明する。ＨＤＭＩ受信部８０７では、ＨＤＭＩケーブルを介してＨＤＭＩ端子８０１〜８０３に入力されるベースバンドの映像およびオーディオのデータが得られる。この映像およびオーディオデータは、ＨＤＭＩ送信部８０８に供給され、ＨＤＭＩ端子８０４に接続されたＨＤＭＩケーブルに送出される。
【００８９】
また、ＨＤＭＩ受信部８０７で得られるオーディオデータは、セレクタ８１６に供給される。セレクタ８１６では、ＨＤＭＩ受信部８０７から供給されるオーディオデータ、変換部８１０から供給されるオーディオデータまたはＡ／Ｄ変換器８１５から供給されるオーディオデータが選択的に取り出され、ＤＳＰ８１７に供給される。
【００９０】
ＤＳＰ８１７では、オーディオデータに対して、周波数帯ごとに音量を調整するイコライジング処理、音像の定位位置を設定する音像定位処理等の必要な処理が施される。ＤＳＰ８１７から出力される各チャネルのオーディオ信号は無線通信部８１８により無線信号として出力される。
【００９１】
例えば、図１に示すＡＶシステム１００Ａにおいて、テレビジョン受像機２００のデジタルチューナ２１１で選局された番組の視聴を行う場合であって、機器制御装置８００がシステムオーディオモードオンの状態にあるときには、以下のような動作となる。すなわち、セレクタ８１６では変換部８１０からのオーディオデータが取り出される。これにより、無線通信部８１８には、テレビジョン受像機２００のデジタルチューナ２１１で選局された番組のオーディオデータに係る各チャネルのオーディオ信号が出力される。そのため、機器制御装置８００に接続されているヘッドホン９００からは、テレビジョン受像機２００のデジタルチューナ２１１で選局された番組のオーディオが出力される。
【００９２】
なお、テレビジョン受像機２００のデジタルチューナ２１１で選局された番組の視聴を行う場合であって、機器制御装置８００がシステムオーディオモードオフの状態にあるときには無線通信部８１８がミューティングオン状態とされる。従って、無線通信部８１８からヘッドホン９００にオーディオ信号は供給されない。なお、無線通信部８１８がミューティングオン状態とされる場合には、無線通信部８１８がミューティングオン状態とされるとともに、ＤＳＰ８１７、無線通信部９１０、ＤＡＣ９２０および音声増幅部９３０もミューティングオン状態とされてもよい。以降においても同様である。
【００９３】
また、例えば、図１に示すＡＶシステム１００Ａにおいて、ビデオレコーダ４００からの映像データ、オーディオデータによる画像、オーディオの視聴を行う場合であって、機器制御装置８００がシステムオーディオモードオンの状態にあるときには、以下のような動作となる。すなわち、ＨＤＭＩスイッチャ８０６によりＨＤＭＩ端子８０１がＨＤＭＩ受信部８０７に接続される。また、セレクタ８１６ではＨＤＭＩ受信部８０７からのオーディオデータが取り出される。これにより、無線通信部８１８には、ビデオレコーダ４００からのオーディオデータに係る各チャネルのオーディオ信号が出力される。そのため、機器制御装置８００に接続されているヘッドホン９００からは、ビデオレコーダ４００からのオーディオデータによるオーディオが出力される。
【００９４】
なお、ビデオレコーダ４００からの映像データ、オーディオデータによる画像、オーディオの視聴を行う場合であって、ＡＶアンプ３００がシステムオーディオモードオフの状態にあるときには、無線通信部８１８がミューティングオン状態とされ、無線通信部８１８からヘッドホン９００にオーディオ信号は供給されない。
【００９５】
また、例えば、図１に示すＡＶシステム１００において、ビデオプレーヤ５００からの映像データ、オーディオデータによる画像、オーディオの視聴を行う場合であって、機器制御装置８００がシステムオーディオモードオンの状態にあるときには、以下のような動作となる。すなわち、ＨＤＭＩスイッチャ８０６によりＨＤＭＩ端子８０２がＨＤＭＩ受信部８０７に接続される。また、セレクタ８１６ではＨＤＭＩ受信部８０７からのオーディオデータが取り出される。これにより、無線通信部８１８には、ビデオプレーヤ５００からのオーディオデータに係る各チャネルのオーディオ信号が出力される。そのため、機器制御装置８００に接続されているヘッドホン９００からは、ビデオプレーヤ５００からのオーディオデータによるオーディオが出力される。
【００９６】
なお、ビデオプレーヤ５００からの映像データ、オーディオデータによる画像、オーディオの視聴を行う場合であって、機器制御装置８００がシステムオーディオモードオフの状態にあるときには、無線通信部８１８がミューティングオン状態とされ、無線通信部８１８からヘッドホン９００にオーディオ信号は供給されない。
【００９７】
（機器制御装置の外観構成）
続いて、図５を参照して、機器制御装置８００の外観構成を説明する。図５は、機器制御装置８００の概観の一例を示す図である。図５に示すように、機器制御装置８００の背面には、例えば、ＨＤＭＩ端子８０１，８０２，８０３，８０４と、光入力端子８０５と、光出力端子８１２と、アナログオーディオ入力端子８１１と、電源入力端子８２６とが設けられている。アナログオーディオ入力端子８１１は、ＲとＬとに分けられている。これらの端子は、一例として機器制御装置８００の背面に設けられているに過ぎず、機器制御装置８００の背面以外に設けられてもよい。
【００９８】
機器制御装置８００の天面には、電源切り替え用スイッチ８２４１と、入力切り替え用スイッチ８２４２とが設けられている。例えば、電源切り替え用スイッチ８２４１がユーザにより押下されるたびに、機器制御装置８００への電源がＯＮからＯＦＦ、またはＯＦＦからＯＮに切り替えられ得る。また、例えば、入力切り替え用スイッチ８２４２がユーザにより押下されるたびに、入力切り替えがなされ得る。例えば、入力切り替え用スイッチ８２４２がユーザにより押下されるたびに、ＨＤＭＩ端子８０１、ＨＤＭＩ端子８０２、ＨＤＭＩ端子８０３、ＨＤＭＩ端子８０４（ＡＲＣ信号の入力に使用）、光入力端子８０５、アナログオーディオ入力端子８１１、ＨＤＭＩ端子８０１、・・・の順に入力が切り替えられ得る。これらのスイッチは、一例として機器制御装置８００の天面に設けられているに過ぎず、機器制御装置８００の天面以外に設けられてもよい。また、これらのスイッチは、ヘッドホン９００に設けられていてもよい。
【００９９】
機器制御装置８００の正面には、ＨＤＭＩ１選択表示域８２５１と、ＨＤＭＩ２選択表示域８２５２と、ＨＤＭＩ３選択表示域８２５３と、ＴＶ選択表示域８２５４と、光選択表示域８２５５と、アナログ選択表示域８２５６とが設けられている。入力切り替え用スイッチ８２４２の押下によりＨＤＭＩ端子８０１からの入力が選択されている場合には、ＨＤＭＩ１選択表示域８２５１に表示がなされる。同様に、ＨＤＭＩ端子８０２からの入力が選択されている場合には、ＨＤＭＩ２選択表示域８２５２に表示がなされ、ＨＤＭＩ端子８０３からの入力が選択されている場合には、ＨＤＭＩ３選択表示域８２５３に表示がなされる。
【０１００】
同様に、ＨＤＭＩ端子８０４（ＡＲＣ信号の入力に使用）からの入力が選択されている場合には、ＴＶ選択表示域８２５４に表示がなされ、光入力端子８０５からの入力が選択されている場合には、光選択表示域８２５５に表示がなされる。同様に、アナログオーディオ入力端子８１１からの入力が選択されている場合には、アナログ選択表示域８２５６に表示がなされる。これらの表示域は、一例として機器制御装置８００の正面に設けられているに過ぎず、機器制御装置８００の正面以外に設けられてもよい。
【０１０１】
機器制御装置８００の左側面には、モード切り替え用スイッチ８２４３が設けられている。例えば、ユーザによるモード切り替え用スイッチ８２４３の切り替えにより、「ＯＦＦ」と「ＭＯＤＥ１」と「ＭＯＤＥ２」との間で動作モードを切り替えることができる。これらの動作モードの詳細については、後に詳細に説明する。モード切り替え用スイッチ８２４３は、一例として機器制御装置８００の左側面に設けられているに過ぎず、機器制御装置８００の左側面以外に設けられてもよい。
【０１０２】
また、機器制御装置８００の左側面には、両出力モード設定用スイッチ８２４４が設けられている。例えば、ユーザによる両出力モード設定用スイッチ８２４４の切り替えにより、「ＯＮ」と「ＯＦＦ」との間で出力先モードを切り替えることができる。これらの出力先モードの詳細については、後に詳細に説明する。両出力モード設定用スイッチ８２４４は、一例として機器制御装置８００の左側面に設けられているに過ぎず、機器制御装置８００の左側面以外に設けられてもよい。
【０１０３】
（ヘッドホンの構成）
図６は、ＡＶシステム１００Ａを構成するヘッドホン９００の構成例を示すブロック図である。図６に示すように、ヘッドホン９００は、無線通信部９１０と、ＤＡＣ（Ｄｉｇｉｔａｌ  Ａｎａｌｏｇ  Ｃｏｎｖｅｒｔｅｒ）９２０と、音声増幅部９３０と、装着情報検出スイッチ９４０と、制御部９５０と、ＲＯＭ９６０と、内部バス９７０とを有している。
【０１０４】
制御部９５０は、ヘッドホン９００の各部の動作を制御する。ＲＯＭ９６０は、制御ソフトウェアの格納およびデータの保管を行う。制御部９５０は、ＣＰＵおよびＲＡＭから構成され、ＲＯＭ９６０から読み出したソフトウェアやデータをＲＡＭ上に展開してソフトウェアを起動し、ヘッドホン９００の各部を制御する。制御部９５０およびＲＯＭ９６０は、内部バス９７０に接続されている。なお、制御部９５０およびＲＯＭ９６０は、ワンチップのマイクロコンピュータ（ワンチップマイコン）であってもよい。
【０１０５】
制御部９５０には、装着情報検出スイッチ９４０および無線通信部９１０が接続されている。装着情報検出スイッチ９４０は、ユーザインタフェースを構成している。例えば、ユーザがヘッドホン９００を装着することにより装着情報検出スイッチ９４０がＯＮとなる。その場合には、装着を示す装着情報が制御部９５０に出力される。一方、ユーザがヘッドホン９００を取り外すことにより装着情報検出スイッチ９４０がＯＦＦとなる。その場合には、取り外しを示す装着情報が制御部９５０に出力される。装着情報検出スイッチ９４０は、ユーザによるヘッドホン９００の装着および取り外しを検出することが可能な位置に取り付けられており、例えば、ヘッドホン９００のバンド部の内側に取り付けられ得る。装着情報検出スイッチ９４０から出力された装着情報は、制御部９５０により無線通信部９１０に出力される。
【０１０６】
制御部９５０は、ヘッドホン９００の電源状態を制御することができる。例えば、制御部９５０は、無線通信部９１０から出力された電源制御信号に基づいて、ヘッドホン９００の電源を入れたり、ヘッドホン９００の電源を切断したりすることができる。なお、ヘッドホン９００の電源とは、主に、ヘッドホン９００のＤＡＣ９２０および音声増幅部９３０に供給される電源を意味している。したがって、ヘッドホン９００の電源が切れている状態であっても、無線通信部９１０および制御部９５０には電源が供給されている状況を想定している。
【０１０７】
また、例えば、制御部９５０は、ヘッドホン９００の電源状態を取得し、取得したヘッドホン９００の電源状態を無線通信部９１０に出力することができる。ヘッドホン９００の電源状態は、定期的に取得されてもよいし、機器制御装置８００による制御にしたがって取得されてもよい。
【０１０８】
無線通信部９１０は、制御部９５０から出力された電源状態を無線信号により機器制御装置８００に送信することができる。また、無線通信部９１０は、制御部９５０から出力された装着情報を無線信号により機器制御装置８００に送信することができる。さらに、無線通信部９１０は、機器制御装置８００から電源制御信号を受信した場合には、受信した無線信号をデジタル信号に変換し、変換により得られるデジタル信号を制御部９５０に出力する。また、無線通信部９１０は、機器制御装置８００から無線信号によりオーディオデータを受信した場合には、無線信号によるオーディオデータをデジタルオーディオ信号に変換し、変換により得られるデジタルオーディオ信号をＤＡＣ９２０に出力する。
【０１０９】
ＤＡＣ９２０は、無線通信部９１０から出力されたデジタルオーディオ信号をアナログオーディオ信号に変換し、変換により得られたアナログオーディオ信号を音声増幅部９３０に出力する。音声増幅部９３０は、ＤＡＣ９２０から出力されるアナログオーディオ信号を増幅してオーディオを出力する。ユーザは、ヘッドホン９００を装着していれば、音声増幅部９３０により出力されたオーディオを聴くことができる。
【０１１０】
（ＨＤＭＩ通信の詳細）
図７は、ＨＤＭＩ送信部（ＨＤＭＩ送信部８０８）とＨＤＭＩ受信部（ＨＤＭＩ受信部２０５、ＨＤＭＩ受信部８０７）の構成例を示すブロック図である。
【０１１１】
ＨＤＭＩ送信部（ＨＤＭＩソース）は、一の垂直同期信号から次の垂直同期信号までの区間から、水平帰線区間および垂直帰線区間を除いた区間である有効画像区間（以下、適宜、アクティブビデオ区間ともいう）において、１単位の伝送を行う。即ち、アクティブビデオ区間で、非圧縮の１画面分の画像の画素データに対応する差動信号を、複数のチャネルで、ＨＤＭＩ受信部（ＨＤＭＩシンク）に一方向に送信する。また、水平帰線区間または垂直帰線区間において、少なくとも画像に付随するオーディオデータや制御データ、その他の補助データ等に対応する差動信号を、複数のチャネルで、ＨＤＭＩ受信部に一方向に送信する。
【０１１２】
ＨＤＭＩ送信部は、トランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブルを介して接続されているＨＤＭＩ受信部に、一方向にシリアル伝送する。
【０１１３】
また、トランスミッタ８１は、非圧縮の画像に付随するオーディオデータ、さらには、必要な制御データその他の補助データ等を、対応する差動信号に変換する。そしてトランスミッタ８１は、変換されたデータを、３つのＴＭＤＳチャネル＃０，＃１，＃２でＨＤＭＩケーブルを介して接続されているＨＤＭＩ受信部に、一方向にシリアル伝送する。
【０１１４】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブルを介して接続されているＨＤＭＩ受信部に送信する。ここで、１つのＴＭＤＳチャネル＃ｉ（ｉ＝０，１，２）では、ピクセルクロックの１クロックの間に、１０ビットの画素データが送信される。
【０１１５】
ＨＤＭＩ受信部は、アクティブビデオ区間において、複数のチャネルで、ＨＤＭＩ送信部から一方向に送信されてくる、画素データに対応する差動信号を受信する。また、ＨＤＭＩ受信部は、水平帰線区間または垂直帰線区間において、複数のチャネルで、ＨＤＭＩ送信部から一方向に送信されてくる、オーディオデータや制御データに対応する差動信号を受信する。
【０１１６】
すなわち、ＨＤＭＩ受信部は、レシーバ８２を有する。レシーバ８２は、ＴＭＤＳチャネル＃０，＃１，＃２で、ＨＤＭＩ送信部から一方向に送信されてくる、画素データに対応する差動信号と、オーディオデータや制御データに対応する差動信号を受信する。このとき、レシーバ８２は、ＨＤＭＩ送信部からＴＭＤＳクロックチャネルで送信されてくるピクセルクロックに同期して受信する。
【０１１７】
ＨＤＭＩシステムの伝送チャネルには、画素データおよびオーディオデータを、シリアル伝送するための伝送チャネルとしての３つのＴＭＤＳチャネル＃０〜＃２と、ピクセルクロックを伝送する伝送チャネルとしてのＴＭＤＳクロックチャネルが含まれる。また、ＤＤＣ（Ｄｉｓｐｌａｙ  Ｄａｔａ  Ｃｈａｎｎｅｌ）８３やＣＥＣライン８４と呼ばれる伝送チャネルがある。
【０１１８】
ＤＤＣ８３は、ＨＤＭＩ送信部が、ＨＤＭＩケーブルを介して接続されたＨＤＭＩ受信部から、Ｅ−ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）を読み出すために使用される。ＤＤＣ８３は、ＨＤＭＩケーブルに含まれる図示せぬ２本の信号線からなる。
【０１１９】
すなわち、ＨＤＭＩ受信部は、ＨＤＭＩレシーバ８２の他に、ＥＤＩＤ  ＲＯＭ８５を有している。ＥＤＩＤ  ＲＯＭ８５は、自身の性能（Ｃｏｎｆｉｇｕｒａｔｉｏｎ／ｃａｐａｂｉｌｉｔｙ）に関する性能情報であるＥ−ＥＤＩＤを記憶している。ＨＤＭＩ送信部は、ＨＤＭＩケーブルを介して接続されているＨＤＭＩ受信部から、当該ＨＤＭＩ受信部のＥ−ＥＤＩＤを、ＤＤＣ８３を介して読み出す。そして、その読み出したＥ−ＥＤＩＤに基づき、例えば、ＨＤＭＩ受信部を有する電子機器が対応している画像のフォーマット（プロファイル）、例えば、ＲＧＢ、ＹＣｂＣｒ４：４：４、ＹＣｂＣｒ４：２：２等を認識する。
【０１２０】
ＣＥＣライン８４は、ＨＤＭＩケーブルに含まれる図示せぬ１本の信号線からなり、ＨＤＭＩ送信部とＨＤＭＩ受信部との間で、制御用のデータの双方向通信を行うのに用いられる。双方向の通信は時分割で行われる。
【０１２１】
また、ＨＤＭＩケーブルには、ＨＰＤ（Ｈｏｔ  Ｐｌｕｇ  Ｄｅｔｅｃｔ）と呼ばれるピンに接続されるライン８６が含まれている。ソース機器は、当該ライン８６を利用して、シンク機器の接続を検出することができる。また、ＨＤＭＩケーブルには、ソース機器からシンク機器に電源を供給するために用いられるライン８７が含まれている。さらに、ＨＤＭＩケーブルには、リザーブライン８８が含まれている。
【０１２２】
図８は、ＣＥＣライン（ＣＥＣチャネル）で伝送されるデータのブロック構成を示す図である。ＣＥＣラインでは、１ブロックが４．５ｍ秒で伝送される構成とされている。データ伝送開始時には、スタートビットが配置され、それに続いて、ヘッダブロックが配置され、その後に、実際に伝送したいデータが含まれる任意の個数（ｎ個）のデータブロックが配置される。
【０１２３】
図９は、ヘッダブロックのデータ構造例を示す図である。ヘッダブロックには、送信元の論理アドレス（ソースアドレス）と、送信先の論理アドレス（シンクアドレス）とが配置される。送信元の論理アドレスは、Ｉｎｉｔｉａｔｏｒに相当し、送信先の論理アドレスは、Ｄｅｓｔｉｎａｔｉｏｎに相当する。
【０１２４】
ＣＥＣのメッセージは１０ビットのデータが最大１６個繋がった構成をとる。その１０ビットの内、後ろの２ビットは図３０に示したように最終ビットである旨を示すＥＯＭビットと、認識したことを示すＡＣＫビットとからなる。従って、以下においては、１０ビットのデータの内、前の８ビットを１バイトとして扱うこととして説明する。
【０１２５】
ＣＥＣコマンドの先頭１バイトは、コマンドの送信元の論理アドレスが格納される４ビットと、コマンドの送信先の論理アドレスが格納される４ビットとからなる。図２に示したように、テレビジョン受像機２００は一般的に論理アドレスとして０が指定され、機器制御装置８００は論理アドレスとして５が指定される。またコマンドの送信方法としては、１つのデバイスから全てのデバイスに対して送信するブロードキャストと、１つのデバイスから特定の論理アドレスのデバイスへ対して送信するユニキャストとがある。
【０１２６】
以上、本開示の実施形態に適用し得るＡＶシステム１００Ａの基本的な構成例について説明した。
【０１２７】
＜２−２．音声出力の切り替え＞
続いて、本開示の実施形態に係る音声出力の切り替えについて説明する。本開示の実施形態に係る音声出力の切り替えにおいては、音声出力装置の一例としてのヘッドホン９００と他の音声出力装置の一例としてのテレビジョン受像機２００との間において機器制御装置８００がオーディオ（音声）の出力先を容易に切り替える手法について詳細に説明する。
【０１２８】
図１０は、機器制御装置８００のＣＰＵ８２１が有する機能構成例を示す図である。図１０に示すように、ＣＰＵ８２１は、情報取得部８２１０と、装着情報検出部８２１１と、出力制御部８２１２と、電源状態検出部８２１３と、電源制御部８２１４とを有している。なお、情報取得部８２１０、装着情報検出部８２１１、出力制御部８２１２、電源状態検出部８２１３および電源制御部８２１４は、実際には、ＣＰＵ８２１がＲＯＭ８２２から読み出したソフトウェアやデータをＲＡＭ８２３上に展開してソフトウェアを起動することにより実現される。
【０１２９】
情報取得部８２１０は、ユーザから操作部８２４に与えられた情報を操作部８２４から取得し、取得した情報を出力制御部８２１２に提供する。情報取得部８２１０によって操作部８２４から取得される情報の種類は特に限定されない。また、情報取得部８２１０は、操作部８２４からだけではなく、他の情報を取得して出力制御部８２１２に提供することも可能である。
【０１３０】
装着情報検出部８２１１は、音声出力装置の一例としてのヘッドホン９００の装着情報を検出する。ヘッドホン９００から送信された装着情報が無線通信部８１８により受信され、無線通信部８１８により受信された装着情報が装着情報検出部８２１１により検出される。装着情報が無線信号によりヘッドホン９００から送信された場合には、この無線信号が無線通信部８１８によりデジタル信号に変換される。
【０１３１】
出力制御部８２１２は、装着情報検出部８２１１の検出結果に応じて入力音声の出力先を音声出力装置の一例としてのヘッドホン９００と他の音声出力装置の一例としてのテレビジョン受像機２００との間で切り替える。入力音声は、例えば、ＨＤＭＩ端子８０１から入力されるオーディオ信号であり、例えば、ビデオレコーダ４００からＨＤＭＩ端子８０１を介して入力されるオーディオ信号である。
【０１３２】
例えば、出力制御部８２１２は、装着情報検出部８２１１によりヘッドホン９００の装着が検出された場合には、入力音声の出力先がヘッドホン９００となるように制御すればよい。ヘッドホン９００の装着が検出された場合には、ユーザがヘッドホン９００から出力されるオーディオを聴こうとしていると予想されるからである。
【０１３３】
例えば、出力制御部８２１２は、装着情報検出部８２１１によりヘッドホン９００の装着が検出された場合には、ＨＤＭＩ端子８０１から入力されるオーディオ信号が無線通信部８１８から出力されるように制御すればよい。無線通信部８１８から出力されたオーディオ信号によるオーディオは、ヘッドホン９００から出力され得る。
【０１３４】
かかる制御を行うために、例えば、出力制御部８２１２は、ＨＤＭＩ受信部８０７により受信されたオーディオ信号がＨＤＭＩ送信部８０８により送信されるように制御すればよい。また、出力制御部８２１２は、ＨＤＭＩ受信部８０７により受信されたオーディオ信号が無線通信部８１８により出力されないように制御すればよい。
【０１３５】
一方、例えば、出力制御部８２１２は、装着情報検出部８２１１によりヘッドホン９００の取り外しが検出された場合には、入力音声の出力先がテレビジョン受像機２００となるように制御すればよい。ヘッドホン９００の取り外しが検出された場合には、ユーザがテレビジョン受像機２００から出力されるオーディオを聴こうとしていると予想されるからである。
【０１３６】
例えば、出力制御部８２１２は、装着情報検出部８２１１によりヘッドホン９００の取り外しが検出された場合には、ＨＤＭＩ端子８０１から入力されるオーディオ信号がＨＤＭＩ端子８０４から出力されるように制御すればよい。ＨＤＭＩ端子８０４から出力されたオーディオ信号によるオーディオは、テレビジョン受像機２００のスピーカ２１９から出力され得る。
【０１３７】
かかる制御を行うために、例えば、出力制御部８２１２は、ＨＤＭＩ受信部８０７により受信されたオーディオ信号が無線通信部８１８によりヘッドホン９００に送信されるように制御すればよい。また、出力制御部８２１２は、ＨＤＭＩ受信部８０７により受信されたオーディオ信号がＨＤＭＩ送信部８０８により送信されないように制御すればよい。
【０１３８】
機器制御装置８００が有するこのような機能によれば、音声出力装置の一例としてのヘッドホン９００と他の音声出力装置の一例としてのテレビジョン受像機２００との間において機器制御装置８００がオーディオの出力先を容易に切り替えることができる。したがって、ユーザがオーディオの出力先の切り替えを行うために要する手間を低減することができる。
【０１３９】
なお、ヘッドホン９００の装着が検出された場合には、ヘッドホン９００のＤＡＣ９２０および音声増幅部９３０に電源を供給する必要が生じる。したがって、ヘッドホン９００の装着が検出された場合であり、かつ、ヘッドホン９００の電源が切れている場合には、ヘッドホン９００の電源を入れるように制御してもよい。このような制御がなされれば、ユーザが電源を入れる手間を省略することができる。
【０１４０】
具体的な構成としては、電源状態検出部８２１３は、ヘッドホン９００の電源状態を検出すればよい。また、電源制御部８２１４は、装着情報検出部８２１１によりヘッドホン９００の装着が検出された場合であり、かつ、電源状態検出部８２１３によりヘッドホン９００の電源が切れている状態が検出された場合に、ヘッドホン９００の電源を入れるように制御すればよい。ヘッドホン９００の電源を入れるための制御は、電源を入れる旨を示す電源制御信号を無線通信部８１８からヘッドホン９００に出力させることにより実現される。
【０１４１】
同様に、ヘッドホン９００の取り外しが検出された場合には、ヘッドホン９００のＤＡＣ９２０および音声増幅部９３０に電源を供給する必要がなくなる。したがって、ヘッドホン９００の取り外しが検出された場合であり、かつ、ヘッドホン９００の電源が入っている場合には、ヘッドホン９００の電源を切断するように制御してもよい。このような制御がなされれば、ユーザが電源を切断する手間を省略することができる。
【０１４２】
具体的な構成としては、電源状態検出部８２１３は、ヘッドホン９００の電源状態を検出すればよい。また、電源制御部８２１４は、装着情報検出部８２１１によりヘッドホン９００の取り外しが検出された場合であり、かつ、電源状態検出部８２１３によりヘッドホン９００の電源が入っている状態が検出された場合に、ヘッドホン９００の電源を切るように制御すればよい。ヘッドホン９００の電源を切るための制御は、電源を切る旨を示す電源制御信号を無線通信部８１８からヘッドホン９００に出力させることにより実現される。
【０１４３】
図１１は、ヘッドホン９００の装着検出時におけるＡＶシステム１００Ａの動作例を示すシーケンス図である。このシーケンス図により示される動作例は、主に、機器制御装置８００とテレビジョン受像機２００との間で送受信されるデータに基づいてなされる動作の例を示しており、ＨＤＭＩ規格に従ってなされ得る。図１１に示すように、テレビジョン受像機２００により再生されたオーディオの出力先がテレビジョン受像機２００となるように機器制御装置８００により制御されている（機器制御装置８００の状態がシステムオーディオモードオフの状態にある）とする。かかる場合、テレビジョン受像機２００のＣＰＵ２３１により音声増幅回路２１８はミューティングオフ状態とされている（ステップＳ１１）。また、機器制御装置８００の出力制御部８２１２により無線通信部８１８はミューティングオン状態とされている。
【０１４４】
ここで、機器制御装置８００の装着情報検出部８２１１によりヘッドホン９００の装着が検出されると（ステップＳ１２）、出力制御部８２１２は、メッセージ＜Ｓｅｔ  Ｓｙｓｔｅｍ  Ａｕｄｉｏ  Ｍｏｄｅ＞［Ｏｎ］をテレビジョン受像機２００にユニキャストにより送信する（ステップＳ１３）。出力制御部８２１２は、無線通信部８１８をミューティングオフ状態とする。
【０１４５】
出力制御部８２１２は、当該メッセージに対するＡｃｋやメッセージ＜Ｆｅａｔｕｒｅ  Ａｂｏｒｔ＞などの返答がテレビジョン受像機２００からなされるか否かを監視する。なお、ＨＤＭＩ規格では、受信メッセージを受け付けることができる場合に（受信メッセージのコマンドに対応している場合に）Ａｃｋを返信し、受信メッセージを受け付けることができない場合に（受信メッセージのコマンドに対応していない場合に）メッセージ＜Ｆｅａｔｕｒｅ  Ａｂｏｒｔ＞を返信するように定義されている。ここでは、テレビジョン受像機２００は、「Ｓｙｓｔｅｍ  Ａｕｄｉｏ  Ｃｏｎｔｒｏｌ」に対応している場合にはＡｃｋを返信し、「Ｓｙｓｔｅｍ  Ａｕｄｉｏ  Ｃｏｎｔｒｏｌ」に対応していない場合には＜Ｆｅａｔｕｒｅ  Ａｂｏｒｔ＞を返信する。
【０１４６】
出力制御部８２１２は、例えば、テレビジョン受像機２００からＡｃｋが返信された場合には、メッセージ＜Ｒｅｑｕｅｓｔ  Ａｃｔｉｖｅ  Ｓｏｕｒｃｅ＞をブロードキャストにより送信する（ステップＳ１４）。出力制御部８２１２は、テレビジョン受像機２００からブロードキャストにより送信されるメッセージ＜Ａｃｔｉｖｅ  Ｓｏｕｒｃｅ＞に基づいて（ステップＳ１５）、オーディオ信号の入力をＨＤＭＩ端子８０４またはＴＶ専用端子（光入力端子８０５またはアナログオーディオ入力端子８１１）に切り替える。なお、既に把握されているＡｃｔｉｖｅ  Ｓｏｕｒｃｅ情報を利用する場合には、出力制御部８２１２は、ステップＳ１４およびステップＳ１５は、行われなくてもよい。
【０１４７】
また、出力制御部８２１２は、例えば、テレビジョン受像機２００からＡｃｋが返信された場合には、メッセージ＜Ｓｅｔ  Ｓｙｓｔｅｍ  Ａｕｄｉｏ  Ｍｏｄｅ＞［Ｏｎ］をブロードキャストにより送信し（ステップＳ１６）、機器制御装置８００の状態をシステムオーディオモードオンの状態に切り替える。テレビジョン受像機２００のＣＰＵ２３１は、当該メッセージが受信されると、ミューティングオン状態とする（音声増幅回路２１８をミューティングオン状態とする）（ステップＳ１７）。ミューティングオン状態になると、テレビジョン受像機２００のスピーカ２１９からオーディオが出力されなくなる。
【０１４８】
図１２は、ヘッドホン９００の装着検出時における機器制御装置８００の動作例を示すフローチャートである。このフローチャートにより示される動作例は、主に、機器制御装置８００とヘッドホン９００との間で送受信されるデータに基づいてなされる動作の例を示している。図１２に示すように、テレビジョン受像機２００により再生されたオーディオの出力先がテレビジョン受像機２００となるように機器制御装置８００により制御されている（機器制御装置８００の状態がシステムオーディオモードオフの状態にある）とする。かかる場合、テレビジョン受像機２００のＣＰＵ２３１により音声増幅回路２１８はミューティングオフ状態とされている。また、機器制御装置８００の出力制御部８２１２により無線通信部８１８はミューティングオン状態とされている。
【０１４９】
ここで、機器制御装置８００の装着情報検出部８２１１によりヘッドホン９００の装着が検出されると、電源状態検出部８２１３は、機器制御装置８００の電源がオフか否かを判定する（ステップＳ２１）。電源制御部８２１４は、電源状態検出部８２１３により機器制御装置８００の電源がオフであると判定された場合（ステップＳ２１で「ＹＥＳ」）、機器制御装置８００の電源をオンにするように制御し（ステップＳ２２）、ステップＳ２３に進む。電源制御部８２１４は、電源状態検出部８２１３により機器制御装置８００の電源がオンであると判定された場合（ステップＳ２１で「ＮＯ」）、ステップＳ２３に進む。なお、機器制御装置８００の電源がオフである場合とは、例えば、機器制御装置８００がｓｔａｎｄｂｙ状態である場合を意味する。
【０１５０】
出力制御部８２１２は、オーディオの出力先をヘッドホン９００に切り替える（ステップＳ２３）。より詳細には、出力制御部８２１２は、機器制御装置８００の状態をシステムオーディオモードオンの状態に切り替える。システムオーディオモードオンの状態では、出力制御部８２１２は、無線通信部８１８をミューティングオフ状態とする。また、出力制御部８２１２は、オーディオ信号の入力をＨＤＭＩ端子８０４またはＴＶ専用端子（光入力端子８０５またはアナログオーディオ入力端子８１１）に切り替える。さらに、出力制御部８２１２は、テレビジョン受像機２００の音声増幅回路２１８をミューティングオン状態とするように制御する。
【０１５１】
図１３は、ヘッドホン９００の取り外し検出時におけるＡＶシステム１００Ａの動作例を示すシーケンス図である。このシーケンス図により示される動作例は、主に、機器制御装置８００とテレビジョン受像機２００との間で送受信されるデータに基づいてなされる動作の例を示しており、ＨＤＭＩ規格に従ってなされ得る。図１３に示すように、テレビジョン受像機２００により再生されたオーディオの出力先がヘッドホン９００となるように機器制御装置８００により制御されている（機器制御装置８００の状態がシステムオーディオモードオンの状態にある）とする。かかる場合、テレビジョン受像機２００のＣＰＵ２３１により音声増幅回路２１８はミューティングオン状態とされている（ステップＳ３１）。また、機器制御装置８００の出力制御部８２１２により無線通信部８１８はミューティングオフ状態とされている。
【０１５２】
ここで、機器制御装置８００の装着情報検出部８２１１によりヘッドホン９００の取り外しが検出されると（ステップＳ３２）、出力制御部８２１２は、機器制御装置８００の状態をシステムオーディオモードオフの状態に切り替え、メッセージ＜Ｓｅｔ  Ｓｙｓｔｅｍ  Ａｕｄｉｏ  Ｍｏｄｅ＞［Ｏｆｆ］をブロードキャストにより送信する（ステップＳ３３）。システムオーディオモードオンの状態では、出力制御部８２１２は、無線通信部８１８をミューティングオン状態とする。
【０１５３】
テレビジョン受像機２００のＣＰＵ２３１は、当該メッセージが受信されると、ミューティングオフ状態とする（音声増幅回路２１８をミューティングオフ状態とする）（ステップＳ３４）。ミューティングオフ状態になると、テレビジョン受像機２００のスピーカ２１９からオーディオが出力されるようになる。
【０１５４】
図１４は、ヘッドホン９００の取り外し装着検出時における機器制御装置８００の動作例を示すフローチャートである。このフローチャートにより示される動作例は、主に、機器制御装置８００とヘッドホン９００との間で送受信されるデータに基づいてなされる動作の例を示している。図１４に示すように、テレビジョン受像機２００により再生されたオーディオの出力先がヘッドホン９００となるように機器制御装置８００により制御されている（機器制御装置８００の状態がシステムオーディオモードオンの状態にある）とする。かかる場合、テレビジョン受像機２００のＣＰＵ２３１により音声増幅回路２１８はミューティングオフ状態とされている。また、機器制御装置８００の出力制御部８２１２により無線通信部８１８はミューティングオン状態とされている。
【０１５５】
ここで、機器制御装置８００の装着情報検出部８２１１によりヘッドホン９００の取り外しが検出されると、電源状態検出部８２１３は、機器制御装置８００の電源がオンか否かを判定する（ステップＳ４１）。電源制御部８２１４は、電源状態検出部８２１３により機器制御装置８００の電源がオンであると判定された場合（ステップＳ４１で「ＹＥＳ」）、機器制御装置８００の電源をオフにするように制御し（ステップＳ４２）、ステップＳ４３に進む。電源制御部８２１４は、電源状態検出部８２１３により機器制御装置８００の電源がオフであると判定された場合（ステップＳ４１で「ＮＯ」）、ステップＳ４３に進む。
【０１５６】
出力制御部８２１２は、オーディオの出力先をテレビジョン受像機２００に切り替える（ステップＳ４３）。より詳細には、出力制御部８２１２は、機器制御装置８００の状態をシステムオーディオモードオフの状態に切り替える。システムオーディオモードオフの状態では、出力制御部８２１２は、無線通信部８１８をミューティングオン状態とする。また、出力制御部８２１２は、テレビジョン受像機２００の音声増幅回路２１８をミューティングオフ状態とするように制御する。
【０１５７】
以上に説明したように、本開示の実施形態によれば、音声出力装置の一例としてのヘッドホン９００と他の音声出力装置の一例としての機器制御装置８００との間においてオーディオの出力先を容易に切り替えることが可能となる。より詳細には、ユーザによるヘッドホン９００の装着動作またはヘッドホン９００の取り外し動作に基づいて、オーディオの出力先を切り替えることができるため、ユーザの利便性が向上される。
【０１５８】
ワイヤレスヘッドホンは、従来においても存在しているが、音声入力としてＳＰＤＩＦまたはアナログ入力を採用しており、他の機器との間における制御信号が特に設けられていないため、他の機器との連携動作ができなかった。ワイヤレスヘッドホンにおける音声信号に対するデコードも、ＳＰＤＩＦで伝送される音声信号に対するデコードに限られていた。また、従来からＨＤＭＩ−ＣＥＣに対応したホームシアターが存在しているが、音声出力の切り替えは、リモートコントローラまたは機器本体の釦操作を必要としていた。
【０１５９】
本開示の実施形態は、ＨＤＭＩ−ＣＥＣに対応している。より詳細には、ＨＤＭＩ−ＬＬＣ発行のＨＤＭＩ規格書「Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．４」に記載のある「Ｓｙｓｔｅｍ  Ａｕｄｉｏ  Ｃｏｎｔｒｏｌ」に対応している。そのため、ＳＰＤＩＦやアナログ入力を採用する場合とは異なり、音声出力をホームシアターシステムのように簡単にヘッドホン９００側から切り替えることができる。また、ヘッドホン９００に取り付けられた装着検出スイッチによりユーザの動作を検出して音声出力の切り替えを実現しているため、操作性が向上している。
【０１６０】
また、機器制御装置８００は、ＨＤＭＩ−ＣＥＣのＡｕｄｉｏ  Ｓｙｓｔｅｍの機能を有しているため、テレビ視聴時に使用するテレビジョン受像機２００のリモートコントローラに対する操作により、テレビジョン受像機２００およびヘッドホン９００の音量調整、消音調整などを行うことが可能となる。また、入力切り替え連動、電源連動、その他ＣＥＣを使った様々な連携動作が可能となる。入力切り替え連動、電源連動などの機能については後に説明する。
【０１６１】
＜２−３．論理アドレスが既に取得されている場合＞
続いて、論理アドレスが既に取得されている場合について説明する。具体的には、機器制御装置により取得可能な論理アドレスが他の機器（例えば、ＡＶアンプ）により既に取得されている場合について説明する。
【０１６２】
図１５は、本開示の実施形態に係るＡＶシステム（機器制御装置８００の接続後）を説明するための図である。図１５に示すように、このＡＶシステム１００Ａは、テレビジョン受像機２００と、ＡＶアンプ３００と、ビデオレコーダ４００とを有している。ビデオレコーダ４００は、ＨＤＭＩのソース機器を構成している。ＡＶアンプ３００はＨＤＭＩのリピータ機器を構成している。テレビジョン受像機２００は、ＨＤＭＩのシンク機器を構成している。ビデオレコーダ４００は、それぞれＤＶＤなどのビデオディスクやハードディスクなどを記録媒体として使って、ビデオデータ（ＡＶコンテンツ）の記録を行う機器である。
【０１６３】
ＡＶアンプ３００は、ＣＥＣ対応機器であり、ＨＤＭＩ端子３０１，３０２，３０３，３０４と、光入力端子３０５とを備えている。このＡＶアンプ３００には、複数のスピーカで構成されているスピーカ群３５０が接続されており、ＡＶアンプ３００で再生処理したオーディオ信号をスピーカ群３５０から出力させる構成としてある。このスピーカ群３５０は、例えば、５．１チャンネルのサラウンドを実現する、聴取者の正面、右前方、左前方、右後方、左後方に位置するスピーカ、および低音出力用サブウーファスピーカで構成されている。ＡＶアンプ３００と各スピーカとは別体で構成させてもよいが、例えばテレビジョン受像機を載置するラック内に、ＡＶアンプと各スピーカ（少なくともフロント側のスピーカ）を収納させた構成でもよい。
【０１６４】
テレビジョン受像機２００およびＡＶアンプ３００は、ＨＤＭＩケーブル７０１および光ケーブル７０２を介して接続されている。すなわち、ＨＤＭＩケーブル７０１の一端はテレビジョン受像機２００のＨＤＭＩ端子２０１に接続され、その他端はＡＶアンプ３００のＨＤＭＩ端子３０４に接続されている。また、光ケーブル７０２の一端はテレビジョン受像機２００の光出力端子２０３に接続され、その他端はＡＶアンプ３００の光入力端子３０５に接続されている。
【０１６５】
また、ＡＶアンプ３００およびビデオレコーダ４００は、ＨＤＭＩケーブル７０３を介して接続されている。すなわち、ＨＤＭＩケーブル７０３の一端はＡＶアンプ３００のＨＤＭＩ端子３０１に接続され、その他端はビデオレコーダ４００のＨＤＭＩ端子４０１に接続されている。
【０１６６】
図１５に示すＡＶシステム１００Ｂ１において、各機器の物理アドレス（Ｐｈｙｓｉｃａｌ  Ａｄｄｒｅｓｓ）およびＣＥＣ論理アドレス（Ｌｏｇｉｃａｌ  Ａｄｄｒｅｓｓ）の取得は、例えば、以下のように行われる。
【０１６７】
すなわち、テレビジョン受像機２００（物理アドレスは［００００］、ＣＥＣ論理アドレスは｛０｝）にＨＤＭＩケーブル７０１を介してＡＶアンプ３００が接続されるとき、ＡＶアンプ３００はＨＤＭＩ制御プロトコルを使用して、テレビジョン受像機２００から物理アドレス［１０００］を取得する。
【０１６８】
上記したように、ＣＥＣ対応機器は、ＨＤＭＩ接続時に、論理アドレスを取得するように規定されている。また、上記したように、ＣＥＣ対応機器は、この論理アドレスを用いて、メッセージの送受信を行う。
【０１６９】
ＡＶアンプ３００は、上述したように、ＣＥＣ対応機器である。ＡＶアンプ３００は、図２のテーブルに基づいて、「Ａｕｄｉｏ  Ｓｙｓｔｅｍ」として論理アドレス｛５｝を決定する。この場合、ＡＶアンプ３００は、ＣＥＣ制御プロトコルの＜Ｐｏｌｌｉｎｇ  Ｍｅｓｓａｇｅ＞で他の機器に、この論理アドレス｛５｝を持つ機器が存在しないことを認識した後に、当該論理アドレス｛５｝を自身の論理アドレスとして決定する。そして、ＡＶアンプ３００は、ＣＥＣ制御プロトコルの＜Ｒｅｐｏｒｔ  Ｐｈｙｓｉｃａｌ  Ａｄｄｒｅｓｓ＞により、物理アドレス［１０００］は、ＣＥＣ対応機器｛５｝であることを、テレビジョン受像機２００に通知する。
【０１７０】
また、ＡＶアンプ３００にＨＤＭＩケーブル７０３を介してビデオレコーダ４００が接続されるとき、ビデオレコーダ４００は、ＨＤＭＩ制御プロトコルを使用して、ＡＶアンプ３００から物理アドレス［１１００］を取得する。
【０１７１】
ビデオレコーダ４００は、上述したように、ＣＥＣ対応機器である。ビデオレコーダ４００は、図２のテーブルに基づいて、「Ｒｅｃｏｒｄｉｎｇ  Ｄｅｖｉｃｅ」として論理アドレス｛１｝を決定する。この場合、ビデオレコーダ４００は、ＣＥＣ制御プロトコルの＜Ｐｏｌｌｉｎｇ  Ｍｅｓｓａｇｅ＞で他の機器に、この論理アドレス｛１｝を持つ機器が存在しないことを認識した後に、当該論理アドレス｛１｝を自身の論理アドレスとして決定する。そして、ビデオレコーダ４００は、ＣＥＣ制御プロトコルの＜Ｒｅｐｏｒｔ  Ｐｈｙｓｉｃａｌ  Ａｄｄｒｅｓｓ＞により、物理アドレス［１１００］は、ＣＥＣ対応機器｛１｝であることを、テレビジョン受像機２００およびＡＶアンプ３００に通知する。
【０１７２】
（ＡＶアンプの構成）
図１６は、ＡＶシステム１００Ｂ１を構成するＡＶアンプ３００（リピータ機器）の構成例を示すブロック図である。図１６に示すように、ＡＶアンプ３００は、ＨＤＭＩ端子３０１〜３０４と、光入力端子３０５と、ＨＤＭＩスイッチャ３０６と、ＨＤＭＩ受信部３０７と、ＨＤＭＩ送信部３０８と、変換部３１０とを有する。また、ＡＶアンプ３００は、アナログオーディオ入力端子３１１と、アンテナ端子３１２と、ＦＭチューナ３１３と、セレクタ３１４と、Ａ／Ｄ変換器３１５と、セレクタ３１６と、ＤＳＰ（Ｄｉｇｉｔａｌ  Ｓｉｇｎａｌ  Ｐｒｏｃｅｓｓｏｒ）３１７とを有する。さらに、ＡＶアンプ３００は、オーディオ増幅回路３１８と、オーディオ出力端子３１９ａ〜３１９ｆと、内部バス３２０と、ＣＰＵ３２１と、ＲＯＭ３２２と、ＲＡＭ３２３とを有している。
【０１７３】
ＣＰＵ３２１は、ＡＶアンプ３００の各部の動作を制御する。ＲＯＭ３２２は、制御ソフトウェアの格納およびデータの保管を行う。ＲＡＭ３２３は、ＣＰＵ３２１のワークエリア等を構成する。ＣＰＵ３２１は、ＲＯＭ３２２から読み出したソフトウェアやデータをＲＡＭ３２３上に展開してソフトウェアを起動し、ＡＶアンプ３００の各部を制御する。ＣＰＵ３２１、ＲＯＭ３２２およびＲＡＭ３２３は、内部バス３２０に接続されている。なお、ＣＰＵ３２１、ＲＯＭ３２２およびＲＡＭ３２３は、ワンチップのマイクロコンピュータ（ワンチップマイコン）であってもよい。
【０１７４】
ＣＰＵ３２１には、操作部３２４および表示部３２５が接続されている。これら操作部３２４および表示部３２５は、ユーザインタフェースを構成している。操作部３２４により、ユーザがＡＶアンプ３００の出力オーディオの選択、ＦＭチューナ３１３の選局、動作設定等を行うことができる。ユーザは、この操作部３２４により、システムオーディオモードのオン／オフ等を設定できる。
【０１７５】
この操作部３２４は、ＡＶアンプ３００の図示しない筐体に配置されたキー、釦、ダイアル、リモートコントロール信号送受信部等で構成される。表示部３２５は、ＡＶアンプ３００の動作状態、ユーザの操作状態等を表示し、蛍光表示管やＬＣＤ（Ｌｉｑｕｉｄ  Ｃｒｙｓｔａｌ  Ｄｉｓｐｌａｙ）等で構成される。
【０１７６】
光入力端子３０５は、光ケーブルを通じてデジタル光信号を入力する端子である。変換部３１０は、光入力端子３０５に入力されたデジタル光信号から、オーディオ信号のサンプリング周波数と同じ周波数（例えば、４４．１ｋＨｚ）を持つクロックＬＲＣＫ、サンプリング周波数の例えば５１２倍あるいは２５６倍のマスタークロックＭＣＫと、クロックＬＲＣＫの１周期毎に存在するそれぞれ２４ビットの左右のオーディオデータＬＤＡＴＡ，ＲＤＡＴＡと、データの各ビットに同期したビットクロックＢＣＫを生成して、セレクタ３１６に供給する。
【０１７７】
アナログオーディオ入力端子３１１は、外部機器で得られる左右のアナログオーディオ信号を入力する端子である。アンテナ端子３１２は、ＦＭ受信アンテナ（図示しない）で受信されたＦＭ放送信号を入力する端子である。ＦＭチューナ３１３は、アンテナ端子３１２に入力されたＦＭ放送信号（ラジオ放送信号）を処理して、ユーザの選択チャネルに対応した左右のアナログオーディオ信号を出力する。セレクタ３１４は、アナログオーディオ入力端子３１１に入力されたアナログオーディオ信号またはチューナ３１３から出力されたアナログオーディオ信号を選択的に取り出す。Ａ／Ｄ変換器３１５は、セレクタ３１４で取り出されたアナログオーディオ信号をデジタルのオーディオデータに変換してセレクタ３１６に供給する。
【０１７８】
ＨＤＭＩスイッチャ３０６は、ＨＤＭＩ端子３０１〜３０３をＨＤＭＩ受信部３０７に選択的に接続する。ＨＤＭＩ受信部３０７は、ＨＤＭＩスイッチャ３０６を介して、ＨＤＭＩ端子３０１〜３０３のいずれかに選択的に接続されている。このＨＤＭＩ受信部３０７は、ＨＤＭＩに準拠した通信により、ＨＤＭＩ端子３０１〜３０３に接続されている外部機器（ソース機器）から一方向に送信されてくる映像とオーディオのデータを受信する。
【０１７９】
ＨＤＭＩ受信部３０７は、オーディオデータをセレクタ３１６に供給すると共に、映像とオーディオのデータをＨＤＭＩ送信部３０８に供給する。ＨＤＭＩ送信部３０８は、ＨＤＭＩに準拠した通信により、ＨＤＭＩ受信部３０７から供給されたベースバンドの映像とオーディオのデータをＨＤＭＩ端子３０４から送出する。これにより、ＡＶアンプ３００はリピータ機能を発揮する。ＨＤＭＩ受信部３０７およびＨＤＭＩ送信部３０８の詳細は後述する。
【０１８０】
セレクタ３１６は、ＨＤＭＩ受信部３０７から供給されるオーディオデータ、変換部３１０から供給されるオーディオデータまたはＡ／Ｄ変換器３１５から供給されるオーディオデータを選択的に取り出し、ＤＳＰ３１７に供給する。
【０１８１】
ＤＳＰ３１７は、セレクタ３１６で得られたオーディオデータを処理し、サラウンドオーディオを実現するための各チャネルのオーディオデータを生成する処理、所定の音場特性や音響特性を付与する処理、デジタル信号をアナログ信号に変換する処理等を行う。例えば、ＤＳＰ３１７は、５．１チャンネルサラウンドオーディオの音場処理を行うことができる他、２チャンネルオーディオなどの他のモードとすることも可能である。オーディオ増幅回路３１８は、ＤＳＰ３１７から出力されるフロントレフトオーディオ信号ＳFL、フロントライトオーディオ信号ＳFR、フロントセンタオーディオ信号ＳFCと、リアレフトオーディオ信号ＳRL、リアライトオーディオ信号ＳRRおよびサブウーファオーディオ信号ＳSWを増幅して、オーディオ出力端子３１９ａ〜３１９ｆに出力する。
【０１８２】
なお、図示は省略しているが、オーディオ出力端子３１９ａ〜３１９ｆには、スピーカ群３５０を構成する各スピーカが接続されている。即ち、フロントレフトスピーカ、フロントライトスピーカ、フロントセンタースピーカ、リアレフトスピーカ、リアライトスピーカおよびサブウーファスピーカが接続されている。但し、ＤＳＰ３１７での仮想音像定位処理などで、これより少ない数のスピーカで、サラウンドオーディオが再生されるようにしてもよい。
【０１８３】
（ＡＶアンプの動作）
続いて、図１６に示すＡＶアンプ３００の動作を簡単に説明する。ＨＤＭＩ受信部３０７では、ＨＤＭＩケーブルを介してＨＤＭＩ端子３０１〜３０３に入力されるベースバンドの映像およびオーディオのデータが得られる。この映像およびオーディオデータは、ＨＤＭＩ送信部３０８に供給され、ＨＤＭＩ端子３０４に接続されたＨＤＭＩケーブルに送出される。
【０１８４】
また、ＨＤＭＩ受信部３０７で得られるオーディオデータは、セレクタ３１６に供給される。セレクタ３１６では、ＨＤＭＩ受信部３０７から供給されるオーディオデータ、変換部３１０から供給されるオーディオデータまたはＡ／Ｄ変換器３１５から供給されるオーディオデータが選択的に取り出され、ＤＳＰ３１７に供給される。
【０１８５】
ＤＳＰ３１７では、オーディオデータに対して、５．１チャンネルサラウンドを実現するための各チャネルのオーディオデータを生成する処理、所定の音場特性を付与する処理、デジタル信号をアナログ信号に変換する処理等の必要な処理が施される。ＤＳＰ３１７から出力される各チャネルのオーディオ信号はオーディオ増幅回路３１８を介してオーディオ出力端子３１９ａ〜３１９ｆに出力される。
【０１８６】
例えば、図１５に示すＡＶシステム１００Ｂ１において、テレビジョン受像機２００のデジタルチューナ２１１で選局された番組の視聴を行う場合であって、ＡＶアンプ３００がシステムオーディオモードオンの状態にあるときには、以下のような動作となる。すなわち、セレクタ３１６では変換部３１０からのオーディオデータが取り出される。これにより、オーディオ出力端子３１９ａ〜３１９ｆには、テレビジョン受像機２００のデジタルチューナ２１１で選局された番組のオーディオデータに係る各チャネルのオーディオ信号が出力される。そのため、ＡＶアンプ３００に接続されているスピーカ群３５０からは、テレビジョン受像機２００のデジタルチューナ２１１で選局された番組のオーディオが出力される。
【０１８７】
なお、テレビジョン受像機２００のデジタルチューナ２１１で選局された番組の視聴を行う場合であって、ＡＶアンプ３００がシステムオーディオモードオフの状態にあるときにはオーディオ増幅回路３１８がミューティングオン状態とされる。従って、オーディオ増幅回路３１８からオーディオ出力端子３１９ａ〜３１９ｆにオーディオ信号は供給されない。
【０１８８】
また、例えば、図１５に示すＡＶシステム１００Ｂ１において、ビデオレコーダ４００からの映像データ、オーディオデータによる画像、オーディオの視聴を行う場合であって、ＡＶアンプ３００がシステムオーディオモードオンの状態にあるときには、以下のような動作となる。すなわち、ＨＤＭＩスイッチャ３０６によりＨＤＭＩ端子３０１がＨＤＭＩ受信部３０７に接続される。また、セレクタ３１６ではＨＤＭＩ受信部３０７からのオーディオデータが取り出される。これにより、オーディオ出力端子３１９ａ〜３１９ｆには、ビデオレコーダ４００からのオーディオデータに係る各チャネルのオーディオ信号が出力される。そのため、ＡＶアンプ３００に接続されているスピーカ群３５０からは、ビデオレコーダ４００からのオーディオデータによるオーディオが出力される。
【０１８９】
なお、ビデオレコーダ４００からの映像データ、オーディオデータによる画像、オーディオの視聴を行う場合であって、ＡＶアンプ３００がシステムオーディオモードオフの状態にあるときには、オーディオ増幅回路３１８がミューティングオン状態とされ、オーディオ増幅回路３１８からオーディオ出力端子３１９ａ〜３１９ｆにオーディオ信号は供給されない。
【０１９０】
（本実施形態によるＡＶシステムの構成例）
図１７は、本開示の実施形態に係るＡＶシステム（機器制御装置８００の接続後）を説明するための図である。図１７に示すように、図１５に示したＡＶシステム１００Ｂ１に機器制御装置８００を接続する場合を想定する。ＡＶアンプ３００（物理アドレスは［１０００］、ＣＥＣ論理アドレスは｛５｝）にＨＤＭＩケーブル７０７を介して機器制御装置８００が接続されるとき、機器制御装置８００はＨＤＭＩ制御プロトコルを使用して、ＡＶアンプ３００から物理アドレス［１２００］を取得する。
【０１９１】
機器制御装置８００は、上述したように、ＣＥＣ対応機器である。機器制御装置８００は、図２のテーブルに基づいて、「Ａｕｄｉｏ  Ｓｙｓｔｅｍ」として論理アドレス｛５｝を取得しようとする。この場合、機器制御装置８００は、ＣＥＣ制御プロトコルの＜Ｐｏｌｌｉｎｇ  Ｍｅｓｓａｇｅ＞で他の機器に、この論理アドレス｛５｝を持つ機器が存在しないことを確認する必要がある。しかし、この論理アドレス｛５｝は、ＡＶアンプ３００により既に取得されているため、ＡＶアンプ３００がこの論理アドレス｛５｝を既に持っている。
【０１９２】
したがって、機器制御装置８００は、当該論理アドレス｛５｝を自身の論理アドレスとして決定することができないため、当該論理アドレス｛５｝を用いて動作することができない。すなわち、機器制御装置８００は、「Ａｕｄｉｏ  Ｓｙｓｔｅｍ」として動作することができない。
【０１９３】
機器制御装置８００は、論理アドレス｛５｝を取得することができない代わりに、論理アドレス｛１５｝を取得することになってしまう。この流れについて説明すると、以下の通りとなる。すなわち、ＨＤＭＩ−ＣＥＣ規格では、ＡＶシステムに接続される機器は、有効な物理アドレスを取得したとき（例えば、「Ｆ．Ｆ．Ｆ．Ｆ」などは無効な物理アドレス）、＜Ｐｏｌｌｉｎｇ  Ｍｅｓｓａｇｅ＞を使用して論理アドレスを取得する動作を行う。機器は、例えば、取得しようとする論理アドレスをＩｎｉｔｉａｔｏｒに設定し、この論理アドレスと同一の論理アドレスをＤｅｓｔｉｎａｔｉｏｎに設定して、論理アドレス取得を試みる。この＜Ｐｏｌｌｉｎｇ  Ｍｅｓｓａｇｅ＞に対して他の機器からＡＣＫが返信された場合には、その論理アドレスが既に取得されていると判断する。そして、機器は、論理アドレス｛１｝→｛２｝→・・・のように順次論理アドレスを変更しながら、空いている論理アドレス（すなわち、ＡＣＫが返信されない論理アドレス）を取得する動作を行う。
【０１９４】
機器は、以前に取得した論理アドレスがある場合には、その論理アドレスから順に一巡し、全ての取得可能な論理アドレスの取得を試みても空きが見つからなかった場合は、論理アドレス｛１５｝を保持する。上記した場合のように、「Ａｕｄｉｏ  Ｓｙｓｔｅｍ」がＡＶアンプ３００により取得されている状態で、「Ａｕｄｉｏ  Ｓｙｓｔｅｍ」としての機器制御装置８００をＡＶシステム１００Ｂ１に追加しようとする場合、機器制御装置８００は「Ｉｎｉｔｉａｔｏｒ」および「Ｄｅｓｔｉｎａｔｉｏｎ」の各々を｛５｝および｛５｝として＜Ｐｏｌｌｉｎｇ  Ｍｅｓｓａｇｅ＞を送信するが、そのメッセージに対してＡＶアンプ３００がＡＣＫを返すため、機器制御装置８００は論理アドレス｛１５｝を取得することとなり、「Ａｕｄｉｏ  Ｓｙｓｔｅｍ」としての動作はできなくなる。
【０１９５】
このように、既にＡＶアンプなどを使用している環境においては、機器制御装置８００をＨＤＭＩ−ＣＥＣシステム（ＣＥＣ接続系）に追加して使用することができない。これは、ＨＤＭＩ−ＬＬＣ発行のＨＤＭＩ規格書「Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．４」に記載されている通り、ＣＥＣとして機器ごとに取得可能な論理アドレスは一意に決められており、「Ａｕｄｉｏ  Ｓｙｓｔｅｍ」に対応する論理アドレスは１つしか存在しないためである。
【０１９６】
そこで、以下では、例えば、図１７に示した場合のように、機器制御装置８００が取得可能な論理アドレスを既に他の機器が持っている場合であっても、ＡＶシステム１００Ｂ１に有効に追加することが可能な機器制御装置８００を提案する。
【０１９７】
＜２−４．２つの音声出力モード＞
まず、本開示の実施形態に係る２つの音声出力モードについて説明する。ここでは、機器制御装置８００の動作モードとして、第１の論理アドレスを用いる第１の音声出力モード（ＭＯＤＥ１）と第２の論理アドレスを用いる第２の音声出力モード（ＭＯＤＥ２）との２つの動作モードを設ける手法について詳細に説明する。第２の音声出力モード（ＭＯＤＥ２）は、第１の音声出力モード（ＭＯＤＥ１）よりも機能が制限されたモードである。機器制御装置８００のＣＰＵ８２１は、これらの２つのモードのいずれかに従ってヘッドホン９００からの音声出力を制御する。なお、以下の説明において、機器制御装置８００の動作モードの例として、ＣＥＣ機器としての動作モード（以下、「ＣＥＣモード」と言う場合もある。）を使用する。
【０１９８】
図１８は、第１の音声出力モード（ＭＯＤＥ１）および第２の音声出力モード（ＭＯＤＥ２）の各モードにおいて発揮される機能例を説明するための図である。図１８に示すように、機器制御装置８００のＣＥＣモードとして、第１の音声出力モード（ＭＯＤＥ１）の他に、第２の音声出力モード（ＭＯＤＥ２）が設けられる。機器制御装置８００のＣＥＣモードとして「ＯＦＦ＝ＣＥＣ非対応モード」も設けられている。図１８には、第１の音声出力モード（ＭＯＤＥ１）と第２の音声出力モード（ＭＯＤＥ２）との違いが示されている。
【０１９９】
この第１の音声出力モード（ＭＯＤＥ１）は、例えば、論理アドレス｛５｝を取得し、取得した論理アドレス｛５｝を用いて動作する場合のモードである。また、第２の音声出力モード（ＭＯＤＥ２）は、例えば、Ｐｏｌｌｉｎｇを行わずに論理アドレス｛１５｝を取得し、取得した論理アドレス｛１５｝を用いて動作する場合のモードである。論理アドレス｛１５｝は、図２に示したように、「Ｕｎｒｅｇｉｓｔｅｒｅｄ」に相当する。図１８に示すように、第１の音声出力モード（ＭＯＤＥ１）では対応しているが、第２の音声出力モード（ＭＯＤＥ２）では対応していない機能が存在する。
【０２００】
このように、論理アドレス｛５｝が既に他の機器（図１７に示した例ではＡＶアンプ３００）により取得されてしまっている場合であっても、論理アドレス｛１５｝を取得し、取得した論理アドレス｛１５｝を用いて動作することができる。機器制御装置８００は、論理アドレス｛１５｝を用いて第２の音声出力モード（ＭＯＤＥ２）として動作した場合には、論理アドレス｛５｝を用いて第１の音声出力モード（ＭＯＤＥ１）として動作した場合と比べて機能が制限される。
【０２０１】
具体的には、図１８に示すように、例えば、第２の音声出力モード（ＭＯＤＥ２）は「Ｓｙｓｔｅｍ  Ａｕｄｉｏ  Ｃｏｎｔｒｏｌ」機能に対応していないため、機器制御装置８００は、第２の音声出力モード（ＭＯＤＥ２）において第１の音声出力モード（ＭＯＤＥ１）として動作することができない。また、例えば、第２の音声出力モード（ＭＯＤＥ２）は「Ａｕｄｉｏ  Ｒｅｔｕｒｎ  Ｃｈａｎｎｅｌ」機能に対応していないため、機器制御装置８００は、第２の音声出力モード（ＭＯＤＥ２）においてＡＲＣ信号を使用して動作することができない。
【０２０２】
一方、例えば、第２の音声出力モード（ＭＯＤＥ２）は「Ｒｏｕｔｉｎｇ  Ｃｏｎｔｒｏｌ」機能に対応しているため、機器制御装置８００は、第２の音声出力モード（ＭＯＤＥ２）において、Ｕｐｓｔｒｅａｍ側の機器（機器制御装置８００のＨＤＭＩ端子８０１，８０２，８０３に接続される機器）からの信号入力を＜Ａｃｔｉｖｅ  Ｓｏｕｒｃｅ＞機器に連動して切り替えることができる（入力切り替え連動機能を有する）。また、例えば、第２の音声出力モード（ＭＯＤＥ２）は「Ｓｙｓｔｅｍ  Ｓｔａｎｄｂｙ」機能に対応しているため、電源連動が可能である（例えば、テレビジョン受像機２００の電源ＯＦＦに連動して機器制御装置８００の電源ＯＦＦを行うことが可能である）。
【０２０３】
以上において説明したように、論理アドレス｛１５｝を用いたＣＥＣモードである第２の音声出力モード（ＭＯＤＥ２）においては、システムオーディオコントロールを動作させることができない。しかしながら、第２の音声出力モード（ＭＯＤＥ２）においても、例えば、ヘッドホン９００からの音声出力を制御することができる。以下、第２の音声出力モード（ＭＯＤＥ２）においてヘッドホン９００からの音声出力を制御する手法について、図１９および図２０を参照しながら説明する。
【０２０４】
図１９は、第１の音声出力モード（ＭＯＤＥ１）における動作例を説明するための図である。図１９に示したように、例えば、機器制御装置８００のＣＥＣモードが第１の音声出力モード（ＭＯＤＥ１）である場合に、第１の外部機器の一例としてのビデオプレーヤ５００からＨＤＭＩ端子８０２を介して入力データが機器制御装置８００に入力されたとする。入力データには、映像データとオーディオデータとが含まれている。第１の音声出力モード（ＭＯＤＥ１）は、上記したように入力切り替え連動機能に対応しているため、第１の音声出力モード（ＭＯＤＥ１）では、機器制御装置８００のＨＤＭＩ端子８０１，８０２，８０３のいずれにビデオプレーヤ５００が接続されていても信号入力をビデオプレーヤ５００に切り替えることができる。
【０２０５】
第１の音声出力モード（ＭＯＤＥ１）では、ＣＰＵ８２１は、ＨＤＭＩ端子８０２を介してビデオプレーヤ５００から入力される入力データからオーディオデータを分離してヘッドホン９００に出力させることができる。オーディオデータは、ＣＰＵ８２１の制御に従って、オーディオとして無線通信部８１８から出力される。ユーザは、ヘッドホン９００を装着している場合には、このようにヘッドホン９００から出力されたオーディオを聴くことができる。なお、ＣＰＵ８２１が入力データからオーディオデータを分離できるか否かは、「Ｓｙｓｔｅｍ  Ａｕｄｉｏ  Ｃｏｎｔｒｏｌ」の状態により決定され得る。
【０２０６】
また、第１の音声出力モード（ＭＯＤＥ１）では、ＣＰＵ８２１は、ＨＤＭＩ端子８０２を介してビデオプレーヤ５００から入力される入力データから映像データを分離してテレビジョン受像機２００に出力させることができる。映像データは、ＣＰＵ８２１の制御に従って、ＨＤＭＩ端子８０４を介してテレビジョン受像機２００に出力される。また、ＨＤＭＩ端子２０１を介してテレビジョン受像機２００に入力された映像データは、ＣＰＵ２３１の制御に従って、映像としてテレビジョン受像機２００の表示パネル２１６から出力される。ユーザは、このようにテレビジョン受像機２００から出力された映像を閲覧することができる。
【０２０７】
図２０は、第２の音声出力モード（ＭＯＤＥ２）における動作例を説明するための図である。図２０に示したように、例えば、機器制御装置８００のＣＥＣモードが第２の音声出力モード（ＭＯＤＥ２）である場合に、第１の外部機器の一例としてのビデオプレーヤ５００からＨＤＭＩ端子８０２を介して入力データが機器制御装置８００に入力されたとする。入力データには、映像データとオーディオデータとが含まれている。第２の音声出力モード（ＭＯＤＥ２）も第１の音声出力モード（ＭＯＤＥ１）と同様に、入力切り替え連動機能に対応しているため、第２の音声出力モード（ＭＯＤＥ２）では、機器制御装置８００のＨＤＭＩ端子８０１，８０２，８０３のいずれにビデオプレーヤ５００が接続されていても信号入力をビデオプレーヤ５００に切り替えることができる。
【０２０８】
しかし、第２の音声出力モード（ＭＯＤＥ２）では、ＣＰＵ８２１は、「Ｓｙｓｔｅｍ  Ａｕｄｉｏ  Ｃｏｎｔｒｏｌ」を利用して、テレビジョン受像機２００からの音声出力とヘッドホン９００からの音声出力とを排他に制御することができない。そこで、第２の音声出力モード（ＭＯＤＥ２）では、ＣＰＵ８２１は、機器制御装置８００の電源状態により（機器制御装置８００の電源がＯＦＦの場合は）、ＨＤＭＩ端子８０４を介して入力データを、ＡＶアンプ３００を経由して第２の外部機器の一例としてのテレビジョン受像機２００に転送するように制御する（図２０に示した「映像データおよびオーディオデータＡ２）。また、ＣＰＵ８２１は、機器制御装置８００の電源状態により（機器制御装置８００の電源がＯＮの場合は）、ビデオプレーヤ５００に対するＥＤＩＤを切り替え、ビデオプレーヤ５００からの入力データからオーディオデータを分離し、分離して得たオーディオデータをヘッドホン９００に再生させることが可能である（図２０に示した「映像データおよびオーディオデータＡ１）。ヘッドホン９００を装着している場合、ＣＰＵ８２１は、機器制御装置８００の電源を制御し機器制御装置８００により分離されたビデオプレーヤ５００のオーディオデータをヘッドホン９００に出力させる。ユーザは、このようにヘッドホン９００から出力されたオーディオを聴きながら、テレビジョン受像機２００から出力された映像を閲覧することができる。
【０２０９】
一方、ＨＤＭＩ端子２０２などから直接テレビジョン受像機２００に入力された入力信号からは、ＣＰＵ２３１の制御信号に従って、オーディオデータが分離され、分離されたオーディオデータが光出力端子２０３から出力されてもよい。なお、分離されたオーディオデータは、アナログ出力端子（図示しない）から出力され、アナログオーディオ入力端子８１１を介して入力されてもよい。これらの信号はＣＰＵ８２１の制御に従って、オーディオとして無線通信部８１８から出力される。ユーザは、ヘッドホン９００を装着している場合には、このようにＨＤＭＩ端子２０２などに入力されたオーディオを聴くことができる。
【０２１０】
テレビジョン受像機２００からは、デジタルチューナ２１１（内蔵チューナ）のオーディオデータが、例えば、光入力端子８０５を介して入力されてもよい。オーディオデータは、アナログオーディオ入力端子８１１を介して入力されてもよい。これらの信号はＣＰＵ８２１の制御に従って、オーディオとして無線通信部８１８から出力される。ユーザは、ヘッドホン９００を装着している場合には、このようにデジタルチューナ２１１（内蔵チューナ）のオーディオを聴くことができる。
【０２１１】
以上、図１９および図２０を参照しながら説明したように、第２の音声出力モード（ＭＯＤＥ２）においてはシステムオーディオコントロールにより音声出力を排他に制御することはできないが、音声伝送を制御することによりヘッドホン９００からの音声出力を制御することができる。なお、例えば、機器制御装置８００の操作部８２４には、第１のモード設定状態または第２のモード設定状態のユーザによる設定操作を検出する機能が備えられている。また、操作部８２４には、ＯＦＦ状態のユーザによる設定操作を検出する機能が備えられている。この設定操作の検出の機能は、図５に示したモード切り替え用スイッチ８２４３により実現される。
【０２１２】
例えば、第１のモード設定状態は、モード切り替え用スイッチ８２４３が「ＭＯＤＥ１」に合っている状態に相当し、第２のモード設定状態は、モード切り替え用スイッチ８２４３が「ＭＯＤＥ２」に合っている状態に相当する。また、例えば、ＯＦＦ状態は、モード切り替え用スイッチ８２４３が「ＯＦＦ」に合っている状態に相当する。ＣＰＵ８２１は、この設定操作に基づいてＣＥＣモード（ＣＥＣ非対応モード、第１の音声出力モード（ＭＯＤＥ１）または第２の音声出力モード（ＭＯＤＥ２））を決定することができる。
【０２１３】
図２１は、機器制御装置８００の動作例（Ｒｅｓｅｔ動作時）を示すフローチャートである。ここでは、図１９に示したような機器制御装置８００または図２０に示したような機器制御装置８００を想定する。図２１に示すように、例えば、ＣＰＵ８２１に対してＲＥＳＥＴが掛かった場合、ＣＰＵ８２１は、モード設定用変数ＣＥＣ＿ＭＯＤＥに「０」を設定する（ステップＳ５１）。なお、ＣＰＵ８２１に対してＲＥＳＥＴが掛かった場合以外にステップＳ５１の動作が開始されてもよい。また、ここでは初期値として「０」を設定することとしたが、初期値は「０」以外の値であってもよい。
【０２１４】
続いて、ＣＰＵ８２１は、モード切り替え用スイッチ８２４３が「ＭＯＤＥ１」に合っているか否かを判定する（ステップＳ５２）。ＣＰＵ８２１は、モード切り替え用スイッチ８２４３が「ＭＯＤＥ１」に合っていると判定した場合には（ステップＳ５２で「ＹＥＳ」）、ＣＥＣ＿ＭＯＤＥに「１」を設定し（ステップＳ５３）、動作を終了する。なお、ここでは「ＭＯＤＥ１」を示す値として「１」を設定することとしたが、「ＭＯＤＥ１」を示す値は「１」以外の値であってもよい。一方、ＣＰＵ８２１は、モード切り替え用スイッチ８２４３が「ＭＯＤＥ１」に合っていないと判定した場合には（ステップＳ５２で「ＮＯ」）、ステップＳ５４に進む。
【０２１５】
続いて、ＣＰＵ８２１は、モード切り替え用スイッチ８２４３が「ＭＯＤＥ２」に合っているか否かを判定する（ステップＳ５４）。ＣＰＵ８２１は、モード切り替え用スイッチ８２４３が「ＭＯＤＥ２」に合っていると判定した場合には（ステップＳ５４で「ＹＥＳ」）、ＣＥＣ＿ＭＯＤＥに「２」を設定し（ステップＳ５５）、動作を終了する。なお、ここでは「ＭＯＤＥ２」を示す値として「２」を設定することとしたが、「ＭＯＤＥ１」を示す値は「１」以外の値であってもよい。一方、ＣＰＵ８２１は、モード切り替え用スイッチ８２４３が「ＭＯＤＥ２」に合っていないと判定した場合には（ステップＳ５４で「ＮＯ」）、動作を終了する。
【０２１６】
図２２は、機器制御装置の動作例（論理アドレス取得時）を示すフローチャートである。ここでも、図１９に示したような機器制御装置８００または図２０に示したような機器制御装置８００を想定する。図２２に示すように、例えば、ＣＰＵ８２１は、有効な物理アドレスを取得した場合、論理アドレスの取得を開始する。まず、ＣＰＵ８２１は、モード設定用変数ＣＥＣ＿ＭＯＤＥに「１」が設定されているか否かを判定する（ステップＳ６１）。
【０２１７】
ＣＰＵ８２１は、モード設定用変数ＣＥＣ＿ＭＯＤＥに「１」が設定されていると判定した場合（ステップＳ６１で「ＹＥＳ」）、Ｐｏｌｌｉｎｇ動作を順次行い、論理アドレスを確定させ（ステップＳ６２）、動作を終了する。より詳細には、このＰｏｌｌｉｎｇ動作において、ＣＰＵ８２１は、論理アドレス｛５｝の割当状況をＰｏｌｌｉｎｇにより検出し、論理アドレス｛５｝が未割当である場合、論理アドレス｛５｝を設定すればよい。例えば、図１９に示したようなシステムでは、論理アドレス｛５｝が機器制御装置８００以外の機器に割り当てられていないことが想定されるため、ＣＰＵ８２１は、論理アドレス｛５｝を設定すればよい。
【０２１８】
また、ＣＰＵ８２１は、論理アドレス｛５｝が割当済みである場合、順次にＰｏｌｌｉｎｇ動作を行い、論理アドレス｛１５｝を確定させればよい。図２０に示したようなシステムでは、論理アドレス｛５｝がＡＶアンプ３００に割り当てられていることが想定されるため、ＣＰＵ８２１は、順次にＰｏｌｌｉｎｇ動作を行い、論理アドレス｛１５｝を確定させればよい。ＣＰＵ８２１は、モード設定用変数ＣＥＣ＿ＭＯＤＥに「１」が設定されていないと判定した場合（ステップＳ６１で「ＮＯ」）、ステップＳ６３に進む。
【０２１９】
続いて、ＣＰＵ８２１は、モード設定用変数ＣＥＣ＿ＭＯＤＥに「２」が設定されているか否かを判定する（ステップＳ６３）。ＣＰＵ８２１は、モード設定用変数ＣＥＣ＿ＭＯＤＥに「２」が設定されていると判定した場合（ステップＳ６３で「ＹＥＳ」）、Ｐｏｌｌｉｎｇ動作を行わずに、論理アドレスを｛１５｝に設定し（ステップＳ６４）、動作を終了する。
【０２２０】
以上、図２１および図２２を参照しながら説明したように、ＣＰＵ８２１は、モード切り替え用スイッチ８２４３が「ＭＯＤＥ１」に合っている場合には、論理アドレス｛５｝を用いた第１の音声出力モード（ＭＯＤＥ１）としての動作を優先することができる。一方、ＣＰＵ８２１は、モード切り替え用スイッチ８２４３が「ＭＯＤＥ２」に合っている場合には、論理アドレス｛１５｝を用いた第２の音声出力モード（ＭＯＤＥ２）としての動作を優先することができる。
【０２２１】
ＣＰＵ８２１は、図２１および図２２に示したような手法により論理アドレスを設定した後は、設定した論理アドレスを用いて動作することができる。例えば、ＣＰＵ８２１は、論理アドレス｛５｝を設定した場合には、論理アドレス｛５｝を用いて第１の音声出力モード（ＭＯＤＥ１）として動作することができる。また、ＣＰＵ８２１は、論理アドレス｛１５｝を設定した場合には、論理アドレス｛１５｝を用いて第２の音声出力モード（ＭＯＤＥ２）として動作することができる。
【０２２２】
以上に説明したように、本開示の実施形態によれば、例えば、論理アドレス｛５｝がＡＶアンプ３００により取得されていても、第２の音声出力モード（ＭＯＤＥ２）として機器制御装置８００を動作させることができるため、ＡＶシステムに機器制御装置８００を有効に追加することができる。したがって、規定の論理アドレスが他の機器により取得されているか否かに関わらず、機器制御装置８００をＡＶシステムに有効に追加することができる。
【０２２３】
なお、上記した例では、ＣＰＵ８２１がモード切り替え用スイッチ８２４３に基づいてＣＥＣモードを設定することとしたが、モード切り替え用スイッチ８２４３以外の情報に基づいてＣＥＣモードが設定されてもよい。例えば、ＣＰＵ８２１は、画面に表示されたメニューからユーザが選択したモードに基づいて、ＣＥＣモードを設定してもよい。この画面は、例えば、機器制御装置８００の表示部８２５により表示されてもよい。
【０２２４】
＜２−５．音声の同時出力＞
上記したように、システムオーディオコントロールというＣＥＣ機能を導入した場合には、１の音声出力装置と他の音声出力装置との間で音声の出力先が排他的となる。より詳細には、出力制御部８２１２は、システムオーディオモードがオフの場合には、ヘッドホン９００をＭｕｔｉｎｇ状態とし、テレビジョン受像機２００から音声を出力させる。一方、出力制御部８２１２は、システムオーディオモードがオンの場合には、テレビジョン受像機２００をＭｕｔｉｎｇ状態とし、ヘッドホン９００から音声を出力させる。
【０２２５】
しかしながら、１の音声出力装置と他の音声出力装置との双方から同時に音声が出力されることが望まれる場合もある。例えば、ヘッドホン９００から出力された音声を聴きながら、テレビジョン受像機２００から出力された音声も聴くことによって、異なる音量および音場で音声を同時に聴きたいという要求がある。かかる要求を満たすためには、システムオーディオモードをオフにしてから、ヘッドホン９００のＭｕｔｉｎｇ状態を解除する操作がなされる必要があった。システムオーディオモードがオンの場合には、かかる要求を満たすことができなかった。そこで、以下においては、簡易な手法により１の音声出力装置と他の音声出力装置との双方から同時に音声を出力させることが可能な技術について主に説明する。
【０２２６】
なお、以下では、１の音声出力装置としてヘッドホン９００を例に挙げ、他の音声出力装置としてテレビジョン受像機２００を例に挙げて説明するが、１の音声出力装置および他の音声出力装置それぞれの種類は特に限定されない。また、機器制御装置８００に音声を入力する外部機器としてビデオプレーヤ５００を例に挙げ、ビデオプレーヤ５００からＨＤＭＩ端子８０２を介して音声が機器制御装置８００に入力される場合を主に説明するが、外部機器の種類も特に限定されない。
【０２２７】
また、ビデオプレーヤ５００から機器制御装置８００に入力された音声の出力先を指定するための指定情報として、システムオーディオモードを利用する。すなわち、指定情報によりヘッドホン９００が指定されている状態の例として、システムオーディオモードがオンの状態を利用し、指定情報によりヘッドホン９００が指定されている状態の例として、システムオーディオモードがオフの状態を利用する。しかし、指定情報はシステムオーディオモードがオンであるか否かを示す情報に限定されない。
【０２２８】
ヘッドホン９００とテレビジョン受像機２００との双方から簡易な手法により同時に音声を出力させる技術を実現するため、情報取得部８２１０は、システムオーディオモードがオンであるか否かを示す情報を取得し、出力制御部８２１２は、システムオーディオモードがオフの場合、ヘッドホン９００およびテレビジョン受像機２００それぞれから音声を出力させるようにすればよい。ここで、システムオーディオモードがオフの場合に、無条件でヘッドホン９００およびテレビジョン受像機２００それぞれから音声を出力させてもよいし、所定の条件が満たされた場合にのみヘッドホン９００およびテレビジョン受像機２００それぞれから音声を出力させてもよい。
【０２２９】
例えば、出力先モードが設定できるようにしてもよい。出力先モードには、ヘッドホン９００およびテレビジョン受像機２００のうち、双方から音声を出力させる両出力モード、または、一方から音声を出力させる一出力モードが設定され得る。以下では、ＴＶ＋ＨＰ  Ａｕｄｉｏ  Ｏｕｔを出力先モードの例として挙げ、ＴＶ＋ＨＰ  Ａｕｄｉｏ  Ｏｕｔがオンの状態を両出力モードの例として挙げ、ＴＶ＋ＨＰ  Ａｕｄｉｏ  Ｏｕｔがオフの状態を一出力モードの例として挙げる。ＨＰは、ヘッドホン９００の略称として使用され得る。
【０２３０】
図５に示したように、ＴＶ＋ＨＰ  Ａｕｄｉｏ  Ｏｕｔのオンとオフとの間の切り替えは、両出力モード設定用スイッチ８２４４の「ＯＮ」と「ＯＦＦ」との間のユーザの切り替え操作によりなされ得る。情報取得部８２１０は、ＴＶ＋ＨＰ  Ａｕｄｉｏ  Ｏｕｔを取得し、出力制御部８２１２は、ＴＶ＋ＨＰ  Ａｕｄｉｏ  Ｏｕｔに従って音声の出力先を制御すればよい。そうすれば、ヘッドホン９００およびテレビジョン受像機２００それぞれから音声を出力させるか否かをユーザの操作により特定することが可能となる。
【０２３１】
図２３は、各種設定と音声出力の状態との関係の例を示す図である。図２３において各種設定の例としては、機器制御装置８００の電源がオンであるか否かを示す情報、出力先モード、ＣＥＣモードなどが示されている。図２３において「ＨＰ音声」は、ヘッドホン９００からの音声出力があるか否かを示している。また、「ＥＤＩＤ」は、機器制御装置８００からビデオプレーヤ５００に提示されるＥＤＩＤを示しており、「ＥＤＩＤ：後段の能力」は、テレビジョン受像機２００の能力を示す性能情報に相当し、「ＥＤＩＤ：本機の能力」は、機器制御装置８００の能力を示す性能情報に相当し得る。なお、本明細書において、「ＥＤＩＤ：後段の能力」はＥＤＩＤが後段の能力を示す場合を主に意味するが、後段の能力と本機の能力との双方を満たす第３の能力を示す場合を意味してもよい。
【０２３２】
機器制御装置８００からビデオプレーヤ５００にＥＤＩＤが提示された場合、ビデオプレーヤ５００は、提示されたＥＤＩＤに対応するデータを機器制御装置８００に入力する。例えば、ビデオプレーヤ５００は、テレビジョン受像機２００の能力を示す性能情報が機器制御装置８００から提示された場合には、テレビジョン受像機２００の能力に対応する音声を機器制御装置８００に入力する。一方、ビデオプレーヤ５００は、機器制御装置８００の能力を示す性能情報が機器制御装置８００から提示された場合には、テレビジョン受像機２００の能力に対応する音声を機器制御装置８００に入力する。
【０２３３】
図２３において「音声伝送」は、機器制御装置８００がビデオプレーヤ５００から入力された音声をテレビジョン受像機２００に伝送するか否かを示す情報に相当し得る。出力制御部８２１２は、システムオーディオモードがオフの場合、かつ、ＴＶ＋ＨＰ  Ａｕｄｉｏ  Ｏｕｔがオンの場合に、ヘッドホン９００およびテレビジョン受像機２００それぞれから音声を出力させればよい。
【０２３４】
図２３を参照すると、出力制御部８２１２が、第１の音声出力モード（ＭＯＤＥ１）に従って動作する場合において、システムオーディオモードがオフの場合、かつ、ＴＶ＋ＨＰ  Ａｕｄｉｏ  Ｏｕｔがオンの場合に、ヘッドホン９００およびテレビジョン受像機２００それぞれから音声を出力させる状態Ｃ５が示されている。
【０２３５】
また、図２３を参照すると、出力制御部８２１２が、第１の音声出力モード（ＭＯＤＥ１）よりも機能が制限された第２の音声出力モード（ＭＯＤＥ２）に従って動作する場合において、ＴＶ＋ＨＰ  Ａｕｄｉｏ  Ｏｕｔがオンの場合に、ヘッドホン９００およびテレビジョン受像機２００それぞれから音声を出力させる状態Ｃ６が示されている。
【０２３６】
また、状態Ｃ６を参照すると、出力制御部８２１２が、音声出力モードが選択されていない場合において（ＣＥＣモードがＯＦＦの場合において）、ＴＶ＋ＨＰ  Ａｕｄｉｏ  Ｏｕｔがオンの場合に、ヘッドホン９００およびテレビジョン受像機２００それぞれから音声を出力させる例が示されている。
【０２３７】
なお、図２３には、機器制御装置８００による音声出力の状態として、状態Ｃ５および状態Ｃ６以外にも、状態Ｃ１、状態Ｃ２、状態Ｃ３、状態Ｃ４、状態Ｃ２♯および状態Ｃ６♯が示されている。以下、機器制御装置８００による音声出力の状態が遷移する場合におけるＡＶシステムの動作例を説明する。なお、以下の説明において使用されるＳｔａｎｄｂｙ  Ｐａｓｓ  Ｔｈｒｕは、Ｓｔａｎｄｂｙ状態において入力信号をスルーする旨を示す。より詳細には、Ｓｔａｎｄｂｙ  Ｐａｓｓ  Ｔｈｒｕがオンの場合には、Ｓｔａｎｄｂｙ状態においてビデオプレーヤ５００に提示されるＥＤＩＤが後段（テレビジョン受像機２００）の能力を示すようにＥＤＩＤを変更することにより、入力されたＨＤＭＩ信号をそのまま後段に伝送する動作となる。
【０２３８】
図２４は、音声出力の状態が状態Ｃ２♯から状態Ｃ１に遷移する場合におけるＡＶシステムの動作例を示す図である。図２４に示した例では、テレビジョン受像機２００の電源がオンの場合、かつ、システムオーディオモードがオフの場合が示されている（ステップＳ１００）。また、図２４に示した例では、機器制御装置８００の電源がオフの場合、かつ、Ｓｔａｎｄｂｙ状態において入力信号をスルーする旨を示すＳｔａｎｄｂｙ  Ｐａｓｓ  Ｔｈｒｕがオンの場合、かつ、ＣＥＣモードがＭＯＤＥ１である場合（ステップＳ１０１）、かつ、ＥＤＩＤが後段（テレビジョン受像機２００）の能力を示す場合が示されている（ステップＳ１０２）。
【０２３９】
装着情報検出部８２１１によりヘッドホン９００の装着が検出された場合または電源状態検出部８２１３により機器制御装置８００の電源オンが検出された場合には（ステップＳ１０３）、出力制御部８２１２は、メッセージ＜Ｓｅｔ  Ｓｙｓｔｅｍ  Ａｕｄｉｏ  Ｍｏｄｅ＞［Ｏｎ］をテレビジョン受像機２００にユニキャストにより送信する（ステップＳ１４）。また、出力制御部８２１２は、例えば、テレビジョン受像機２００からＡｃｋが返信された場合には、メッセージ＜Ｓｅｔ  Ｓｙｓｔｅｍ  Ａｕｄｉｏ  Ｍｏｄｅ＞［Ｏｎ］をブロードキャストにより送信し（ステップＳ１０５）、ビデオプレーヤ５００に提示されるＥＤＩＤが本機（機器制御装置８００）の能力を示すようにＥＤＩＤを変更する（ステップＳ１０７）。
【０２４０】
テレビジョン受像機２００のＣＰＵ２３１は、当該メッセージが受信されると、ミューティングオン状態とする（音声増幅回路２１８をミューティングオン状態とする）（ステップＳ１０６）。ミューティングオン状態になると、テレビジョン受像機２００のスピーカ２１９からオーディオが出力されなくなる。
【０２４１】
図２５は、音声出力の状態が状態Ｃ１から状態Ｃ２♯に遷移する場合におけるＡＶシステムの動作例を示す図である。図２５に示した例では、テレビジョン受像機２００の電源がオンの場合、かつ、システムオーディオモードがオンの場合が示されている（ステップＳ１１０）。また、図２５に示した例では、機器制御装置８００の電源がオンの場合、かつ、Ｓｔａｎｄｂｙ  Ｐａｓｓ  Ｔｈｒｕがオンの場合、かつ、ＣＥＣモードがＭＯＤＥ１である場合（ステップＳ１１１）、かつ、ＥＤＩＤが本機（機器制御装置８００）の能力を示す場合が示されている（ステップＳ１１２）。
【０２４２】
装着情報検出部８２１１によりヘッドホン９００の取り外しが検出された場合または電源状態検出部８２１３により機器制御装置８００の電源オフが検出された場合には（ステップＳ１１３）、出力制御部８２１２は、メッセージ＜Ｓｅｔ  Ｓｙｓｔｅｍ  Ａｕｄｉｏ  Ｍｏｄｅ＞［Ｏｆｆ］をテレビジョン受像機２００にユニキャストにより送信し（ステップＳ１１４）、ビデオプレーヤ５００に提示されるＥＤＩＤが後段（テレビジョン受像機２００）の能力を示すようにＥＤＩＤを変更する（ステップＳ１１６）。
【０２４３】
テレビジョン受像機２００のＣＰＵ２３１は、当該メッセージが受信されると、ミューティングオフ状態とする（音声増幅回路２１８をミューティングオフ状態とする）（ステップＳ１１５）。ミューティングオフ状態になると、テレビジョン受像機２００のスピーカ２１９からオーディオが出力されるようになる。
【０２４４】
図２６は、音声出力の状態が状態Ｃ２から状態Ｃ１に遷移する場合におけるＡＶシステムの動作例を示す図である。図２６に示した例では、テレビジョン受像機２００の電源がオンの場合、かつ、システムオーディオモードがオフの場合が示されている（ステップＳ１２０）。また、図２６に示した例では、機器制御装置８００の電源がオンまたはオフの場合、かつ、ＣＥＣモードがＭＯＤＥ１である場合（ステップＳ１２１）、かつ、ＥＤＩＤが後段（テレビジョン受像機２００）の能力を示す場合が示されている（ステップＳ１２２）。
【０２４５】
システムオーディオモードがオンに切り替えられた場合には（ステップＳ１２３）、出力制御部８２１２は、メッセージ＜Ｓｙｓｔｅｍ  Ａｕｄｉｏ  Ｍｏｄｅ  Ｒｅｑｕｅｓｔ＞［Ｏｎ，物理アドレス］を機器制御装置８００に送信する（ステップＳ１２４）。機器制御装置８００においては、当該メッセージを受信すると、出力制御部８２１２が必要に応じて機器制御装置８００の電源をオンにし、無線通信部８１８をミューティングオフ状態とする（ステップＳ１２５）。ミューティングオフ状態になると、ヘッドホン９００からオーディオが出力されるようになる。
【０２４６】
また、出力制御部８２１２は、メッセージ＜Ｓｅｔ  Ｓｙｓｔｅｍ  Ａｕｄｉｏ  Ｍｏｄｅ＞［Ｏｎ］をブロードキャストにより送信し（ステップＳ１２６）、ビデオプレーヤ５００に提示されるＥＤＩＤが本機（機器制御装置８００）の能力を示すようにＥＤＩＤを変更する（ステップＳ１２８）。
【０２４７】
テレビジョン受像機２００のＣＰＵ２３１は、当該メッセージが受信されると、ミューティングオン状態とする（音声増幅回路２１８をミューティングオン状態とする）（ステップＳ１２７）。ミューティングオン状態になると、テレビジョン受像機２００のスピーカ２１９からオーディオが出力されなくなる。出力制御部８２１２は、ＥＤＩＤを変更した後、メッセージ＜Ｒｅｐｏｒｔ  Ａｕｄｉｏ  Ｓｔａｔｕｓ＞［Ｍｕｔｉｎｇ  Ｏｆｆ］をユニキャストによりテレビジョン受像機２００に送信する（ステップＳ１２９）。
【０２４８】
図２７は、音声出力の状態が状態Ｃ１から状態Ｃ２に遷移する場合におけるＡＶシステムの動作例を示す図である。図２７に示した例では、テレビジョン受像機２００の電源がオンの場合、かつ、システムオーディオモードがオンの場合が示されている（ステップＳ１３０）。また、図２７に示した例では、機器制御装置８００の電源がオンの場合、かつ、ＣＥＣモードがＭＯＤＥ１である場合（ステップＳ１３１）、かつ、ＥＤＩＤが本機（機器制御装置８００）の能力を示す場合が示されている（ステップＳ１３２）。
【０２４９】
システムオーディオモードがオフに切り替えられた場合には（ステップＳ１３３）、出力制御部８２１２は、メッセージ＜Ｓｙｓｔｅｍ  Ａｕｄｉｏ  Ｍｏｄｅ  Ｒｅｑｕｅｓｔ＞［Ｏｆｆ］を機器制御装置８００に送信する（ステップＳ１３４）。機器制御装置８００においては、当該メッセージを受信すると、出力制御部８２１２が無線通信部８１８をミューティングオン状態とする（ステップＳ１３５）。ミューティングオン状態になると、ヘッドホン９００からオーディオが出力されなくなる。
【０２５０】
また、出力制御部８２１２は、メッセージ＜Ｓｅｔ  Ｓｙｓｔｅｍ  Ａｕｄｉｏ  Ｍｏｄｅ＞［Ｏｆｆ］をブロードキャストにより送信し（ステップＳ１３６）、ビデオプレーヤ５００に提示されるＥＤＩＤが後段（テレビジョン受像機２００）の能力を示すようにＥＤＩＤを変更する（ステップＳ１３８）。
【０２５１】
テレビジョン受像機２００のＣＰＵ２３１は、当該メッセージが受信されると、ミューティングオフ状態とする（音声増幅回路２１８をミューティングオフ状態とする）（ステップＳ１３７）。ミューティングオフ状態になると、テレビジョン受像機２００のスピーカ２１９からオーディオが出力されるようになる。出力制御部８２１２は、ＥＤＩＤを変更した後、メッセージ＜Ｒｅｐｏｒｔ  Ａｕｄｉｏ  Ｓｔａｔｕｓ＞［Ｍｕｔｉｎｇ  Ｏｎ］をユニキャストによりテレビジョン受像機２００に送信する（ステップＳ１３９）。
【０２５２】
なお、図２７には、音声出力の状態が状態Ｃ１から状態Ｃ２に遷移する場合におけるＡＶシステムの動作例を示したが、出力制御部８２１２は、システムオーディオモードがオフに切り替えられた場合に、音声の出力先をヘッドホン９００からヘッドホン９００およびテレビジョン受像機２００に自動的に切り替えてもよい。そのとき、出力制御部８２１２は、音声の出力先をヘッドホン９００からヘッドホン９００およびテレビジョン受像機２００に自動的に切り替えた場合、ＴＶ＋ＨＰ  Ａｕｄｉｏ  Ｏｕｔをオンに切り替えてもよい。これにより、ユーザの利便性が向上することが期待される。
【０２５３】
図２８は、音声出力の状態が状態Ｃ５から状態Ｃ４に遷移する場合におけるＡＶシステムの動作例を示す図である。図２８に示した例では、テレビジョン受像機２００の電源がオンの場合、かつ、システムオーディオモードがオフの場合が示されている（ステップＳ１４０）。また、図２８に示した例では、機器制御装置８００の電源がオンまたはオフの場合、かつ、ＣＥＣモードがＭＯＤＥ１である場合（ステップＳ１４１）、かつ、ＥＤＩＤが後段（テレビジョン受像機２００）の能力を示す場合が示されている（ステップＳ１４２）。
【０２５４】
システムオーディオモードがオンに切り替えられた場合には（ステップＳ１４３）、出力制御部８２１２は、メッセージ＜Ｓｙｓｔｅｍ  Ａｕｄｉｏ  Ｍｏｄｅ  Ｒｅｑｕｅｓｔ＞［Ｏｎ，物理アドレス］を機器制御装置８００に送信する（ステップＳ１４４）。機器制御装置８００においては、当該メッセージを受信すると、出力制御部８２１２が必要に応じて機器制御装置８００の電源をオンにし、無線通信部８１８をミューティングオフ状態とする（ステップＳ１４５）。ミューティングオフ状態になると、ヘッドホン９００からオーディオが出力されるようになる。
【０２５５】
また、出力制御部８２１２は、メッセージ＜Ｓｅｔ  Ｓｙｓｔｅｍ  Ａｕｄｉｏ  Ｍｏｄｅ＞［Ｏｎ］をブロードキャストにより送信し（ステップＳ１４６）、ビデオプレーヤ５００に提示されるＥＤＩＤが本機（機器制御装置８００）の能力を示すようにＥＤＩＤを変更する（ステップＳ１４７）。
【０２５６】
テレビジョン受像機２００のＣＰＵ２３１は、当該メッセージが受信されると、ミューティングオン状態とする（音声増幅回路２１８をミューティングオン状態とする）（ステップＳ１４８）。ミューティングオン状態になると、テレビジョン受像機２００のスピーカ２１９からオーディオが出力されなくなる。出力制御部８２１２は、ＥＤＩＤを変更した後、メッセージ＜Ｒｅｐｏｒｔ  Ａｕｄｉｏ  Ｓｔａｔｕｓ＞［Ｍｕｔｉｎｇ  Ｏｆｆ］をユニキャストによりテレビジョン受像機２００に送信する（ステップＳ１４９）。
【０２５７】
図２９は、音声出力の状態が状態Ｃ４から状態Ｃ５に遷移する場合におけるＡＶシステムの動作例を示す図である。図２９に示した例では、テレビジョン受像機２００の電源がオンの場合、かつ、システムオーディオモードがオンの場合が示されている（ステップＳ１５０）。また、図２９に示した例では、機器制御装置８００の電源がオンの場合、かつ、ＣＥＣモードがＭＯＤＥ１である場合（ステップＳ１５１）、かつ、ＥＤＩＤが本機（機器制御装置８００）の能力を示す場合が示されている（ステップＳ１５２）。
【０２５８】
システムオーディオモードがオフに切り替えられた場合には（ステップＳ１５３）、出力制御部８２１２は、メッセージ＜Ｓｙｓｔｅｍ  Ａｕｄｉｏ  Ｍｏｄｅ  Ｒｅｑｕｅｓｔ＞［Ｏｆｆ］を機器制御装置８００に送信する（ステップＳ１５４）。機器制御装置８００においては、当該メッセージを受信しても、出力制御部８２１２は、無線通信部８１８をミューティングオフ状態のままとする（ステップＳ１５５）。ミューティングオフ状態のままにされると、ヘッドホン９００からオーディオが出力されたままになる。
【０２５９】
また、出力制御部８２１２は、メッセージ＜Ｓｅｔ  Ｓｙｓｔｅｍ  Ａｕｄｉｏ  Ｍｏｄｅ＞［Ｏｆｆ］をブロードキャストにより送信し（ステップＳ１５６）、ビデオプレーヤ５００に提示されるＥＤＩＤが後段（テレビジョン受像機２００）の能力を示すようにＥＤＩＤを変更する（ステップＳ１５８）。
【０２６０】
テレビジョン受像機２００のＣＰＵ２３１は、当該メッセージが受信されると、ミューティングオフ状態とする（音声増幅回路２１８をミューティングオフ状態とする）（ステップＳ１５７）。ミューティングオフ状態になると、テレビジョン受像機２００のスピーカ２１９からオーディオが出力されるようになる。出力制御部８２１２は、ＥＤＩＤを変更した後、メッセージ＜Ｒｅｐｏｒｔ  Ａｕｄｉｏ  Ｓｔａｔｕｓ＞［Ｍｕｔｉｎｇ  Ｏｆｆ］をユニキャストによりテレビジョン受像機２００に送信する（ステップＳ１５９）。
【０２６１】
図３０は、音声出力の状態が状態Ｃ６♯から状態Ｃ３に遷移する場合におけるＡＶシステムの動作例を示す図である。図３０に示した例では、テレビジョン受像機２００の電源がオンの場合が示されている（ステップＳ１６０）。また、図３０に示した例では、機器制御装置８００の電源がオフの場合、かつ、ＣＥＣモードがＭＯＤＥ２またはＯＦＦである場合（ステップＳ１６１）、かつ、ＥＤＩＤが後段（テレビジョン受像機２００）の能力を示す場合が示されている（ステップＳ１６２）。
【０２６２】
装着情報検出部８２１１によりヘッドホン９００の装着が検出された場合または電源状態検出部８２１３により機器制御装置８００の電源オンが検出された場合には（ステップＳ１６３）、出力制御部８２１２は、ビデオプレーヤ５００に提示されるＥＤＩＤが本機（機器制御装置８００）の能力を示すようにＥＤＩＤを変更する（ステップＳ１６４）。ＥＤＩＤが本機（機器制御装置８００）の能力を示すように変更された後は、テレビジョン受像機２００にＨＤＭＩ信号が伝送されなくなり、テレビジョン受像機２００から音声が出力されなくなる（ステップＳ１６５）。
【０２６３】
図３１は、音声出力の状態が状態Ｃ３から状態Ｃ６♯に遷移する場合におけるＡＶシステムの動作例を示す図である。図３１に示した例では、テレビジョン受像機２００の電源がオンの場合が示されている（ステップＳ１７０）。また、図３１に示した例では、機器制御装置８００の電源がオンの場合、かつ、ＣＥＣモードがＭＯＤＥ２またはＯＦＦである場合（ステップＳ１７１）、かつ、ＥＤＩＤが本機（機器制御装置８００）の能力を示す場合が示されている（ステップＳ１７２）。
【０２６４】
装着情報検出部８２１１によりヘッドホン９００の取り外しが検出された場合または電源状態検出部８２１３により機器制御装置８００の電源オフが検出された場合には（ステップＳ１７３）、出力制御部８２１２は、ビデオプレーヤ５００に提示されるＥＤＩＤが後段（テレビジョン受像機２００）の能力を示すようにＥＤＩＤを変更する（ステップＳ１７４）。ＥＤＩＤが後段（テレビジョン受像機２００）の能力を示すように変更された後は、テレビジョン受像機２００にＨＤＭＩ信号が伝送され、テレビジョン受像機２００から音声が出力されるようになる（ステップＳ１７５）。
【０２６５】
図３２は、音声出力の状態が状態Ｃ６♯から状態Ｃ６に遷移する場合におけるＡＶシステムの動作例を示す図である。図３２に示した例では、テレビジョン受像機２００の電源がオンの場合が示されている（ステップＳ１８０）。また、図３２に示した例では、機器制御装置８００の電源がオフの場合、かつ、ＣＥＣモードがＭＯＤＥ２またはＯＦＦである場合（ステップＳ１８１）、かつ、ＥＤＩＤが後段（テレビジョン受像機２００）の能力を示す場合が示されている（ステップＳ１８２）。
【０２６６】
装着情報検出部８２１１によりヘッドホン９００の装着が検出された場合または電源状態検出部８２１３により機器制御装置８００の電源オンが検出された場合には（ステップＳ１８３）、出力制御部８２１２は、ビデオプレーヤ５００に提示されるＥＤＩＤが後段（テレビジョン受像機２００）の能力を示したままとする（ステップＳ１８４）。その後も、機器制御装置８００からテレビジョン受像機２００にＨＤＭＩ信号が伝送され、テレビジョン受像機２００からの音声出力が継続する（ステップＳ１８５）。
【０２６７】
図３３は、音声出力の状態が状態Ｃ６から状態Ｃ６♯に遷移する場合におけるＡＶシステムの動作例を示す図である。図３３に示した例では、テレビジョン受像機２００の電源がオンの場合が示されている（ステップＳ１９０）。また、図３３に示した例では、機器制御装置８００の電源がオンの場合、かつ、ＣＥＣモードがＭＯＤＥ２またはＯＦＦである場合（ステップＳ１９１）、かつ、ＥＤＩＤが後段（テレビジョン受像機２００）の能力を示す場合が示されている（ステップＳ１９２）。
【０２６８】
装着情報検出部８２１１によりヘッドホン９００の取り外しが検出された場合または電源状態検出部８２１３により機器制御装置８００の電源オフが検出された場合には（ステップＳ１９３）、出力制御部８２１２は、ビデオプレーヤ５００に提示されるＥＤＩＤが後段（テレビジョン受像機２００）の能力を示したままとする（ステップＳ１９４）。その後も、機器制御装置８００からテレビジョン受像機２００にＨＤＭＩ信号が伝送され、テレビジョン受像機２００からの音声出力が継続する（ステップＳ１９５）。
【０２６９】
図３４は、音声出力の状態が状態Ｃ２から状態Ｃ５に遷移する場合におけるＡＶシステムの動作例を示す図である。図３４に示した例では、テレビジョン受像機２００の電源がオンの場合、かつ、システムオーディオモードがオフの場合が示されている（ステップＳ２２０）。また、図３４に示した例では、機器制御装置８００の電源がオンの場合、かつ、Ｓｔａｎｄｂｙ  Ｐａｓｓ  Ｔｈｒｕがオンの場合、かつ、ＣＥＣモードがＭＯＤＥ１である場合（ステップＳ２２１）が示されている。また、図３４に示した例では、無線通信部８１８がミューティングオン状態である場合（ステップＳ２２２）、かつ、ＥＤＩＤが後段（テレビジョン受像機２００）の能力を示す場合が示されている（ステップＳ２２３）。
【０２７０】
ＴＶ＋ＨＰ  Ａｕｄｉｏ  Ｏｕｔがオフからオンにされると（ステップＳ２２４）、出力制御部８２１２は、無線通信部８１８をミューティングオフにし（ステップＳ２２５）、メッセージ＜Ｒｅｐｏｒｔ  Ａｕｄｉｏ  Ｓｔａｔｕｓ＞［Ｍｕｔｉｎｇ  Ｏｆｆ］をテレビジョン受像機２００に送信する（ステップＳ２２６）。これにより、音声の出力先がテレビジョン受像機２００からヘッドホン９００およびテレビジョン受像機２００に切り替わる。
【０２７１】
その後、テレビジョン受像機２００からメッセージ＜Ｕｓｅｒ  Ｃｏｎｔｒｏｌ  Ｐｒｅｓｓｅｄ＞［Ｍｕｔｉｎｇ］が送信されることがあるが（ステップＳ２２７）、出力制御部８２１２は、Ｍｕｔｉｎｇ要求には応じずに（ステップＳ２２８）、ヘッドホン９００からの音声出力を継続する。なお、メッセージ＜Ｕｓｅｒ  Ｃｏｎｔｒｏｌ  Ｐｒｅｓｓｅｄ＞［Ｍｕｔｉｎｇ］は、Ｍｕｔｉｎｇ要求の一例であり、以下、このメッセージを、単にＵＣＰと記載することもある。
【０２７２】
さらに、出力制御部８２１２は、ＵＣＰに対してメッセージ＜Ｆｅａｔｕｒｅ  Ａｂｏｒｔ＞［Ｕｓｅｒ  Ｃｏｎｔｒｏｌ  Ｐｒｅｓｓｅｄ］を返信してよい（ステップＳ２２９）。メッセージ＜Ｆｅａｔｕｒｅ  Ａｂｏｒｔ＞［Ｕｓｅｒ  Ｃｏｎｔｒｏｌ  Ｐｒｅｓｓｅｄ］は、Ｍｕｔｉｎｇ要求を受け付けることができない旨（ヘッドホン９００からの音声の出力を継続する旨）を示すメッセージの一例である。無線通信部８１８がミューティングオフ状態のままとなれば（ステップＳ２３０）、ヘッドホン９００からオーディオが出力されたままになる。
【０２７３】
図３５は、音声出力の状態が状態Ｃ５から状態Ｃ２に遷移する場合におけるＡＶシステムの動作例を示す図である。図３５に示した例では、テレビジョン受像機２００の電源がオンの場合、かつ、システムオーディオモードがオフの場合が示されている（ステップＳ２４０）。また、図３５に示した例では、機器制御装置８００の電源がオンの場合、かつ、Ｓｔａｎｄｂｙ  Ｐａｓｓ  Ｔｈｒｕがオンの場合、かつ、ＣＥＣモードがＭＯＤＥ１である場合（ステップＳ２４１）が示されている。また、図３５に示した例では、無線通信部８１８がミューティングオフ状態である場合（ステップＳ２４２）、かつ、ＥＤＩＤが後段（テレビジョン受像機２００）の能力を示す場合が示されている（ステップＳ２４３）。
【０２７４】
ＴＶ＋ＨＰ  Ａｕｄｉｏ  Ｏｕｔがオンからオフにされると（ステップＳ２４４）、出力制御部８２１２は、無線通信部８１８をミューティングオンにし（ステップＳ２４５）、メッセージ＜Ｓｅｔ  Ｓｙｓｔｅｍ  Ａｕｄｉｏ  Ｍｏｄｅ＞［Ｏｆｆ］をブロードキャストにより送信する（ステップＳ２４６）。無線通信部８１８がミューティングオン状態となれば、ヘッドホン９００からオーディオが出力されなくなる。テレビジョン受像機２００からもオーディオは出力されたままである。
【０２７５】
図３６は、音声出力の状態が状態Ｃ３から状態Ｃ６に遷移する場合におけるＡＶシステムの動作例を示す図である。図３６に示した例では、テレビジョン受像機２００の電源がオンの場合が示されている（ステップＳ２５０）。また、図３６に示した例では、機器制御装置８００の電源がオンの場合、かつ、ＣＥＣモードがＭＯＤＥ２またはＯＦＦである場合（ステップＳ２５１）、かつ、ＥＤＩＤが本機（機器制御装置８００）の能力を示す場合が示されている（ステップＳ２５２）。
【０２７６】
ＴＶ＋ＨＰ  Ａｕｄｉｏ  Ｏｕｔがオフからオンにされると（ステップＳ２５３）、出力制御部８２１２は、ビデオプレーヤ５００に提示されるＥＤＩＤが後段（テレビジョン受像機２００）の能力を示すようにＥＤＩＤを変更する（ステップＳ２５４）。ＥＤＩＤが後段（テレビジョン受像機２００）の能力を示すように変更された後は、テレビジョン受像機２００にＨＤＭＩ信号が伝送されるようになり、テレビジョン受像機２００から音声が出力されるようになる（ステップＳ２５５）。これにより、音声の出力先がヘッドホン９００からヘッドホン９００およびテレビジョン受像機２００に切り替わる。
【０２７７】
図３７は、音声出力の状態が状態Ｃ６から状態Ｃ３に遷移する場合におけるＡＶシステムの動作例を示す図である。図３７に示した例では、テレビジョン受像機２００の電源がオンの場合が示されている（ステップＳ２６０）。また、図３７に示した例では、機器制御装置８００の電源がオンの場合、かつ、ＣＥＣモードがＭＯＤＥ２またはＯＦＦである場合（ステップＳ２６１）、かつ、ＥＤＩＤが後段（テレビジョン受像機２００）の能力を示す場合が示されている（ステップＳ２６２）。
【０２７８】
ＴＶ＋ＨＰ  Ａｕｄｉｏ  Ｏｕｔがオンからオフにされると（ステップＳ２６３）、出力制御部８２１２は、ビデオプレーヤ５００に提示されるＥＤＩＤが本機（機器制御装置８００）の能力を示すようにＥＤＩＤを変更する（ステップＳ２６４）。ＥＤＩＤが本機（機器制御装置８００）の能力を示すように変更された後は、テレビジョン受像機２００にＨＤＭＩ信号が伝送されなくなり、テレビジョン受像機２００から音声が出力されなくなる（ステップＳ２６５）。これにより、音声の出力先がテレビジョン受像機２００およびヘッドホン９００からヘッドホン９００に切り替わる。
【０２７９】
図３８は、ＴＶ＋ＨＰ  Ａｕｄｉｏ  Ｏｕｔをオフからオンに切り替えた場合における機器制御装置８００の動作例を示す図である。図３８に示すように、ＴＶ＋ＨＰ  Ａｕｄｉｏ  Ｏｕｔがオフからオンに変更されると（ステップＳ２７０）、出力制御部８２１２は、ＣＥＣモードが第１の音声出力モード（ＭＯＤＥ１）ではない場合（ステップＳ２７１で「ＮＯ」）、ビデオプレーヤ５００に提示されるＥＤＩＤが後段（テレビジョン受像機２００）の能力を示すようにＥＤＩＤを変更する（ステップＳ２７２）。ＣＥＣモードが第１の音声出力モード（ＭＯＤＥ１）ではない場合としては、ＣＥＣモードが第２の音声出力モード（ＭＯＤＥ２）またはＯＦＦである場合が想定される。
【０２８０】
一方、出力制御部８２１２は、ＣＥＣモードが第１の音声出力モード（ＭＯＤＥ１）である場合（ステップＳ２７１で「ＹＥＳ」）、かつ、システムオーディオモードがオフの場合（ステップＳ２７３で「ＮＯ」）、無線通信部８１８をミューティングオフにするとともにメッセージ＜Ｒｅｐｏｒｔ  Ａｕｄｉｏ  Ｓｔａｔｕｓ＞［Ｍｕｔｉｎｇ  Ｏｆｆ］をユニキャストによりテレビジョン受像機２００に送信する（ステップＳ２７４）。また、出力制御部８２１２は、ＵＣＰ（Ｍｕｔｉｎｇ要求）をブロックする旨を示す値をフラグにセットする（ステップＳ２７５）。
【０２８１】
図３９は、ＴＶ＋ＨＰ  Ａｕｄｉｏ  Ｏｕｔをオフからオンに切り替えた場合における機器制御装置８００の動作の変形例を示す図である。図３９に示すように、図３８に示したステップＳ２７０〜ステップＳ２７５と同様の動作がなされてよい。しかし、出力制御部８２１２は、ＣＥＣモードが第１の音声出力モード（ＭＯＤＥ１）である場合（ステップＳ２７１で「ＹＥＳ」）、かつ、システムオーディオモードがオンの場合（ステップＳ２７３で「ＹＥＳ」）、システムオーディオモードを自動的にオンにしてもよい（ステップＳ２７６）。ユーザがＴＶ＋ＨＰ  Ａｕｄｉｏ  Ｏｕｔがオンに切り替えた場合には、ユーザがヘッドホン９００およびテレビジョン受像機２００の双方から出力される音声を聴こうとしていると予想されるからである。
【０２８２】
図４０は、ＴＶ＋ＨＰ  Ａｕｄｉｏ  Ｏｕｔをオンからオフに切り替えた場合における機器制御装置８００の動作例を示す図である。図４０に示すように、ＴＶ＋ＨＰ  Ａｕｄｉｏ  Ｏｕｔがオンからオフに変更されると（ステップＳ２８０）、出力制御部８２１２は、ＣＥＣモードが第１の音声出力モード（ＭＯＤＥ１）ではない場合（ステップＳ２８１で「ＮＯ」）、ビデオプレーヤ５００に提示されるＥＤＩＤが本機（機器制御装置８００）の能力を示すようにＥＤＩＤを変更する（ステップＳ２８２）。ＣＥＣモードが第１の音声出力モード（ＭＯＤＥ１）ではない場合としては、ＣＥＣモードが第２の音声出力モード（ＭＯＤＥ２）またはＯＦＦである場合が想定される。
【０２８３】
一方、出力制御部８２１２は、ＣＥＣモードが第１の音声出力モード（ＭＯＤＥ１）である場合（ステップＳ２８１で「ＹＥＳ」）、かつ、システムオーディオモードがオフの場合（ステップＳ２８３で「ＮＯ」）、無線通信部８１８をミューティングオンにするとともにメッセージ＜Ｒｅｐｏｒｔ  Ａｕｄｉｏ  Ｓｔａｔｕｓ＞［Ｍｕｔｉｎｇ  Ｏｎ］をユニキャストによりテレビジョン受像機２００に送信する（ステップＳ２８４）。また、出力制御部８２１２は、フラグをクリアする（ステップＳ２８５）。
【０２８４】
図４１は、システムオーディオモードをオフからオンに切り替えた場合における機器制御装置８００の動作例を示す図である。図４１に示した例では、ＣＥＣモードが第１の音声出力モード（ＭＯＤＥ１）に設定されている（ステップＳ２９０）。システムオーディオモードがオフからオンに変更されると（ステップＳ２９１）、出力制御部８２１２は、メッセージ＜Ｓｅｔ  Ｓｙｓｔｅｍ  Ａｕｄｉｏ  Ｍｏｄｅ＞［Ｏｎ］をテレビジョン受像機２００にユニキャストにより送信する（ステップＳ２９２）。
【０２８５】
出力制御部８２１２は、当該メッセージを許容しない旨を示す応答が所定時間内にテレビジョン受像機２００から返信されなかった場合には（ステップＳ２９３で「ＮＯ」）、メッセージ＜Ｓｅｔ  Ｓｙｓｔｅｍ  Ａｕｄｉｏ  Ｍｏｄｅ＞［Ｏｎ］をブロードキャストにより送信する（ステップＳ２９４）。メッセージを許容しない旨を示す応答の例としては、メッセージ＜Ｆｅａｔｕｒｅ  Ａｂｏｒｔ＞が想定される。
【０２８６】
また、出力制御部８２１２は、無線通信部８１８をミューティングオフ状態にするとともに、メッセージ＜Ｒｅｐｏｒｔ  Ａｕｄｉｏ  Ｓｔａｔｕｓ＞［Ｍｕｔｉｎｇ  Ｏｆｆ］をユニキャストによりテレビジョン受像機２００に送信する（ステップＳ２９５）。また、出力制御部８２１２は、ビデオプレーヤ５００に提示されるＥＤＩＤが本機（機器制御装置８００）の能力を示すようにＥＤＩＤを変更する（ステップＳ２９６）。ＥＤＩＤが本機（機器制御装置８００）の能力を示すように変更された後は、テレビジョン受像機２００にＨＤＭＩ信号が伝送されなくなり、テレビジョン受像機２００から音声が出力されなくなる。
【０２８７】
図４２は、システムオーディオモードをオンからオフに切り替えた場合における機器制御装置８００の動作例を示す図である。図４２に示した例では、ＣＥＣモードが第１の音声出力モード（ＭＯＤＥ１）に設定されている（ステップＳ３００）。システムオーディオモードがオンからオフに変更されると（ステップＳ３０１）、出力制御部８２１２は、メッセージ＜Ｓｅｔ  Ｓｙｓｔｅｍ  Ａｕｄｉｏ  Ｍｏｄｅ＞［Ｏｆｆ］をブロードキャストにより送信する（ステップＳ３０２）。
【０２８８】
出力制御部８２１２は、ＴＶ＋ＨＰ  Ａｕｄｉｏ  Ｏｕｔがオフの場合には（ステップＳ３０３で「ＮＯ」）、無線通信部８１８をミューティングオン状態とするとともにメッセージ＜Ｒｅｐｏｒｔ  Ａｕｄｉｏ  Ｓｔａｔｕｓ＞［Ｍｕｔｉｎｇ  Ｏｎ］をユニキャストによりテレビジョン受像機２００に送信する（ステップＳ３０４）。続いて、出力制御部８２１２は、フラグをクリアし（ステップＳ３０５）、ビデオプレーヤ５００に提示されるＥＤＩＤが後段（テレビジョン受像機２００）の能力を示すようにＥＤＩＤを変更する（ステップＳ３０６）。
【０２８９】
無線通信部８１８がミューティングオン状態とされた後は、ヘッドホン９００から音声が出力されなくなる。一方、ＥＤＩＤが後段（テレビジョン受像機２００）の能力を示すように変更された後は、テレビジョン受像機２００にＨＤＭＩ信号が伝送されるようになり、テレビジョン受像機２００から音声が出力されるようになる。したがって、ユーザは、テレビジョン受像機２００から出力される音声を聴くことが可能となる。
【０２９０】
出力制御部８２１２は、ＴＶ＋ＨＰ  Ａｕｄｉｏ  Ｏｕｔがオンの場合には（ステップＳ３０３で「ＹＥＳ」）、ＵＣＰ（Ｍｕｔｉｎｇ要求）をブロックする旨を示す値をフラグにセットし（ステップＳ３０７）、ビデオプレーヤ５００に提示されるＥＤＩＤが後段（テレビジョン受像機２００）の能力を示すようにＥＤＩＤを変更する（ステップＳ３０８）。
【０２９１】
ＥＤＩＤが後段（テレビジョン受像機２００）の能力を示すように変更された後は、テレビジョン受像機２００にＨＤＭＩ信号が伝送されるようになり、テレビジョン受像機２００から音声が出力されるようになる。また、無線通信部８１８のミューティングオフ状態が継続されていれば、ヘッドホン９００からの音声出力も継続される。したがって、ユーザは、テレビジョン受像機２００およびヘッドホン９００の双方から出力される音声を聴くことが可能となる。
【０２９２】
図４３は、機器制御装置８００のコマンド監視処理の動作例を示す図である。図４３に示したように、テレビジョン受像機２００から機器制御装置８００にＵＣＰ（Ｍｕｔｉｎｇ要求）が入力されると（ステップＳ３１０で「ＹＥＳ」）、出力制御部８２１２は、ＵＣＰ（Ｍｕｔｉｎｇ要求）をブロックする旨を示す値がフラグにセットされているか否かを判定する（ステップＳ３１１）。
【０２９３】
出力制御部８２１２は、ＵＣＰ（Ｍｕｔｉｎｇ要求）をブロックする旨を示す値がフラグにセットされている場合には（ステップＳ３１１で「ＹＥＳ」）、無線通信部８１８をミューティングオン状態とし、メッセージ＜Ｒｅｐｏｒｔ  Ａｕｄｉｏ  Ｓｔａｔｕｓ＞［Ｍｕｔｉｎｇ  Ｏｎ］をユニキャストによりテレビジョン受像機２００に送信する（ステップＳ３１２）。一方、出力制御部８２１２は、ＵＣＰ（Ｍｕｔｉｎｇ要求）をブロックする旨を示す値がフラグにセットされていない場合には（ステップＳ３１１で「ＮＯ」）、ＵＣＰに対してメッセージ＜Ｆｅａｔｕｒｅ  Ａｂｏｒｔ＞［Ｕｓｅｒ  Ｃｏｎｔｒｏｌ  Ｐｒｅｓｓｅｄ］を返信する（ステップＳ３１３）。
【０２９４】
＜＜３．むすび＞＞
以上説明したように、本開示の実施形態によれば、システムオーディオモードがオンであるか否かを示す情報を取得する情報取得部８２１０と、システムオーディオモードがオフの場合、ヘッドホン９００およびテレビジョン受像機２００それぞれから音声を出力させるようにする出力制御部８２１２と、を備える、機器制御装置８００が提供される。かかる構成によれば、ヘッドホン９００から出力された音声を聴きながら、テレビジョン受像機２００から出力された音声も聴くことによって、異なる音量および音場で音声を同時に聴きたいという要求を簡易な手法によって満たすことが可能となる。
【０２９５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２９６】
また、本明細書のＡＶシステムの動作における各ステップは、必ずしもフローチャートとして記載された順序に沿って時系列に処理する必要はない。例えば、ＡＶシステムの動作における各ステップは、フローチャートとして記載した順序と異なる順序で処理されても、並列的に処理されてもよい。
【０２９７】
また、機器制御装置８００に内蔵されるＣＰＵ、ＲＯＭおよびＲＡＭなどのハードウェアを、上述した機器制御装置８００の各構成と同等の機能を発揮させるためのコンピュータプログラムも作成可能である。また、該コンピュータプログラムを記憶させた記憶媒体も提供される。
【０２９８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２９９】
なお、以下のような構成も本開示の技術的範囲に属する。
（１）
外部機器から入力された音声の出力先を指定するための指定情報を取得する情報取得部と、
前記指定情報により１の音声出力装置および他の音声出力装置から前記他の音声出力装置が指定されている場合、前記１の音声出力装置および前記他の音声出力装置それぞれから前記音声を出力させる出力制御部と、
を備える、機器制御装置。
（２）
前記情報取得部は、前記１の音声出力装置および前記他の音声出力装置のうち、双方から前記音声を出力させる両出力モード、または、一方から前記音声を出力させる一出力モードが設定される出力先モードを取得し、
前記出力制御部は、前記出力先モードに従って前記音声の出力先を制御する、
前記（１）に記載の機器制御装置。
（３）
前記出力制御部は、前記指定情報により前記他の音声出力装置が指定されている場合、かつ、前記出力先モードに前記両出力モードが設定されている場合に、前記１の音声出力装置および前記他の音声出力装置それぞれから前記音声を出力させる、
前記（２）に記載の機器制御装置。
（４）
前記出力制御部は、前記指定情報により前記他の音声出力装置が指定されている場合、かつ、前記出力先モードの設定が前記一出力モードから前記両出力モードに切り替わった場合、前記音声の出力先を前記他の音声出力装置から前記１の音声出力装置および前記他の音声出力装置に切り替える、
前記（３）に記載の機器制御装置。
（５）
前記出力制御部は、前記音声の出力先を前記他の音声出力装置から前記１の音声出力装置および前記他の音声出力装置に切り替えると、前記１の音声出力装置からの前記音声の出力を停止するよう要求されても、前記１の音声出力装置からの前記音声の出力を継続する、
前記（４）に記載の機器制御装置。
（６）
前記出力制御部は、前記音声の出力先を前記他の音声出力装置から前記１の音声出力装置および前記他の音声出力装置に切り替えると、前記１の音声出力装置からの前記音声の出力を停止するよう要求された場合に、前記１の音声出力装置からの前記音声の出力を継続する旨を返信する、
前記（４）または（５）に記載の機器制御装置。
（７）
前記出力制御部は、前記出力先モードに前記両出力モードが設定されている場合、かつ、前記１の音声出力装置から前記他の音声出力装置を指定するように前記指定情報が更新された場合、前記音声の出力先を前記１の音声出力装置から前記１の音声出力装置および前記他の音声出力装置に切り替える、
前記（３）〜（６）のいずれか一項に記載の機器制御装置。
（８）
前記出力制御部は、前記指定情報が前記１の音声出力装置から前記他の音声出力装置を指定するように更新された場合、前記音声の出力先を前記１の音声出力装置から前記１の音声出力装置および前記他の音声出力装置に切り替える、
前記（３）〜（７）のいずれか一項に記載の機器制御装置。
（９）
前記出力制御部は、前記音声の出力先を前記１の音声出力装置から前記１の音声出力装置および前記他の音声出力装置に切り替えた場合、前記出力先モードを前記両出力モードに切り替える、
前記（８）に記載の機器制御装置。
（１０）
前記出力制御部は、第１の音声出力モードに従って動作する場合において、前記指定情報により前記他の音声出力装置が指定されている場合、前記１の音声出力装置および他の音声出力装置それぞれから前記音声を出力させる、
前記（３）〜（９）のいずれか一項に記載の機器制御装置。
（１１）
前記出力制御部は、前記第１の音声出力モードよりも機能が制限された第２の音声出力モードに従って動作する場合において、前記出力先モードに前記両出力モードが設定されている場合に、前記１の音声出力装置および前記他の音声出力装置それぞれから前記音声を出力させる、
前記（１０）に記載の機器制御装置。
（１２）
前記出力制御部は、前記第２の音声出力モードに従って動作する場合において、前記出力先モードの設定が前記一出力モードから前記両出力モードに切り替わった場合、前記音声の出力先を前記１の音声出力装置から前記１の音声出力装置および前記他の音声出力装置に切り替える、
前記（１１）に記載の機器制御装置。
（１３）
前記出力制御部は、前記第２の音声出力モードに従って動作する場合において、前記機器制御装置の電源が切れている状態から入っている状態に切り替わった場合、前記音声の出力先を前記１の音声出力装置および前記他の音声出力装置のままにする、
前記（１１）または（１２）に記載の機器制御装置。
（１４）
前記出力制御部は、音声出力モードが選択されていない場合において、前記出力先モードに前記両出力モードが設定されている場合に、前記１の音声出力装置および前記他の音声出力装置それぞれから前記音声を出力させる、
前記（１０）〜（１３）のいずれか一項に記載の機器制御装置。
（１５）
外部機器から入力された音声の出力先を指定するための指定情報を取得することと、
前記指定情報により１の音声出力装置および他の音声出力装置から前記他の音声出力装置が指定されている場合、前記１の音声出力装置および前記他の音声出力装置それぞれから前記音声を出力させることと、
を含む、機器制御方法。
（１６）
コンピュータを、
外部機器から入力された音声の出力先を指定するための指定情報を取得する情報取得部と、
前記指定情報により１の音声出力装置および他の音声出力装置から前記他の音声出力装置が指定されている場合、前記１の音声出力装置および前記他の音声出力装置それぞれから前記音声を出力させる出力制御部と、
を備える機器制御装置として機能させるためのプログラム。
（１７）
１の音声出力装置と、他の音声出力装置と、を有し、
外部機器から入力された音声の出力先を指定するための指定情報を取得する情報取得部と、
前記指定情報により前記他の音声出力装置が指定されている場合、前記１の音声出力装置および前記他の音声出力装置それぞれから前記音声を出力させる出力制御部と、
を備える、機器制御装置と、
を有する、機器制御システム。
【符号の説明】
【０３００】
１００  ＡＶシステム
２００  テレビジョン受像機（他の音声出力装置）
４００  ビデオレコーダ
５００  ビデオプレーヤ（外部機器）
６００  ビデオレコーダ
８００  機器制御装置
９００  ヘッドホン（１の音声出力装置）
８２１０  情報取得部
８２１１  装着情報検出部
８２１２  出力制御部
８２１３  電源状態検出部
８２１４  電源制御部
【図１】
2015076837.tif 000003
【図２】
2015076837.tif 000004
【図３】
2015076837.tif 000005
【図４】
2015076837.tif 000006
【図５】
2015076837.tif 000007
【図６】
2015076837.tif 000008
【図７】
2015076837.tif 000009
【図８】
2015076837.tif 000010
【図９】
2015076837.tif 000011
【図１０】
2015076837.tif 000012
【図１１】
2015076837.tif 000013
【図１２】
2015076837.tif 000014
【図１３】
2015076837.tif 000015
【図１４】
2015076837.tif 000016
【図１５】
2015076837.tif 000017
【図１６】
2015076837.tif 000018
【図１７】
2015076837.tif 000019
【図１８】
2015076837.tif 000020
【図１９】
2015076837.tif 000021
【図２０】
2015076837.tif 000022
【図２１】
2015076837.tif 000023
【図２２】
2015076837.tif 000024
【図２３】
2015076837.tif 000025
【図２４】
2015076837.tif 000026
【図２５】
2015076837.tif 000027
【図２６】
2015076837.tif 000028
【図２７】
2015076837.tif 000029
【図２８】
2015076837.tif 000030
【図２９】
2015076837.tif 000031
【図３０】
2015076837.tif 000032
【図３１】
2015076837.tif 000033
【図３２】
2015076837.tif 000034
【図３３】
2015076837.tif 000035
【図３４】
2015076837.tif 000036
【図３５】
2015076837.tif 000037
【図３６】
2015076837.tif 000038
【図３７】
2015076837.tif 000039
【図３８】
2015076837.tif 000040
【図３９】
2015076837.tif 000041
【図４０】
2015076837.tif 000042
【図４１】
2015076837.tif 000043
【図４２】
2015076837.tif 000044
【図４３】
2015076837.tif 000045